(57)【要約】【課題】毛穴の皮脂、汚れ、角栓などをより容易に除去することのできる美容装置および美容方法を提供する。【解決手段】美容装置１０は、使用者Ｕの肌Ｓに供給されるアルカリ液Ｌ１を貯留するアルカリ液貯留部３３と、アルカリ液貯留部３３に貯留されたアルカリ液Ｌ１が吐出されるアルカリ液吐出口８０ａを有するアルカリ液通路８０と、を備えている。また、美容装置１０は、使用者Ｕの肌Ｓにアルカリ液Ｌ１を供給するアルカリ液供給機構５０と、使用者Ｕの肌Ｓに付着した汚れを除去する汚れ除去機構５０と、を備えている。【選択図】図２
2017099868.tif 000002
【特許請求の範囲】
【請求項１】
使用者の肌に供給されるアルカリ液を貯留するアルカリ液貯留部と、
前記アルカリ液貯留部に貯留されたアルカリ液が吐出されるアルカリ液吐出口を有するアルカリ液通路と、
前記使用者の肌に前記アルカリ液を供給するアルカリ液供給機構と、
前記使用者の肌に付着した汚れを除去する汚れ除去機構と、
を備えることを特徴とする美容装置。
【請求項２】
前記汚れ除去機構は、前記アルカリ液を前記使用者の肌に噴射させることが可能なポンプ部を備えることを特徴とする請求項１に記載の美容装置。
【請求項３】
前記アルカリ液吐出口の近傍には、前記アルカリ液の跳ね返りを抑制する跳ね返り抑制部が設けられていることを特徴とする請求項１または請求項２に記載の美容装置。
【請求項４】
前記アルカリ液吐出口の周囲には、前記アルカリ液が一方向に吐出されるようにガイドするガイド部が設けられていることを特徴とする請求項１〜３のうちいずれか１項に記載の美容装置。
【請求項５】
前記アルカリ液吐出口の周囲には、前記使用者の肌との接触状態を検知する検知部が形成されていることを特徴とする請求項１〜４のうちいずれか１項に記載の美容装置。
【請求項６】
前記アルカリ液供給機構は、前記アルカリ液を前記使用者の肌に噴射させることが可能なポンプ部を備えることを特徴とする請求項１〜５のうちいずれか１項に記載の美容装置。
【請求項７】
前記アルカリ液を加熱する加熱部をさらに備えることを特徴とする請求項１〜６のうち何れか１項に記載の美容装置。
【請求項８】
前記加熱部は、前記アルカリ液吐出口から吐出される前記アルカリ液の温度が３７℃〜５０℃となるように、前記アルカリ液を加熱することを特徴とする請求項７に記載の美容装置。
【請求項９】
前記アルカリ液のｐＨが９〜１２であることを特徴とする請求項１〜８のうちいずれか１項に記載の美容装置。
【請求項１０】
前記アルカリ液がｐＨ緩衝能を有していることを特徴とする請求項１〜９のうちいずれか１項に記載の美容装置。
【請求項１１】
前記アルカリ液には、抗菌成分および保湿成分のうち少なくともいずれか一方の成分が含まれていることを特徴とする請求項１〜１０のうちいずれか１項に記載の美容装置。
【請求項１２】
前記アルカリ液に前記抗菌成分および前記保湿成分の両方の成分が含まれており、
前記抗菌成分および前記保湿成分が同一の成分であることを特徴とする請求項１１に記載の美容装置。
【請求項１３】
前記アルカリ液供給機構は、前記アルカリ液吐出口の周縁部に形成されたアルカリ液保持部を備えることを特徴とする請求項１〜１２のうちいずれか１項に記載の美容装置。
【請求項１４】
前記汚れ除去機構は、前記使用者の肌に付着した汚れを吸引する吸引機構を備えることを特徴とする請求項１〜１３のうちいずれか１項に記載の美容装置。
【請求項１５】
前記汚れ除去機構は、繊維状のブラシを有するブラシ部を備えることを特徴とする請求項１〜１４のうちいずれか１項に記載の美容装置。
【請求項１６】
前記汚れ除去機構は、前記ブラシを回転駆動させるモータを備えることを特徴とする請求項１５に記載の美容装置。
【請求項１７】
前記アルカリ液を生成するアルカリ液生成部をさらに備えることを特徴とする請求項１〜１６のうち何れか１項に記載の美容装置。
【請求項１８】
前記アルカリ液生成部は、陰極および陽極と、前記陰極と前記陽極との間に配置された隔膜とを有する電気分解部を備えることを特徴とする請求項１７に記載の美容装置。
【請求項１９】
前記電気分解部で生成された酸性液を貯留する酸性液貯留部と、
前記酸性液貯留部に貯留された酸性液が吐出される酸性液吐出口を有する酸性液通路と、
前記使用者の肌に前記酸性液を供給する酸性液供給機構と、
を備えることを特徴とする請求項１８に記載の美容装置。
【請求項２０】
前記酸性液供給機構は、前記酸性液を前記使用者の肌に噴射させることが可能なポンプ部を備えることを特徴とする請求項１９に記載の美容装置。
【請求項２１】
前記アルカリ液とは異なる液体を貯留する液体貯留部と、
前記液体貯留部に貯留された液体が吐出される液体吐出口を有する液体通路と、
前記使用者の肌に前記液体を供給する液体供給機構と、
を備えることを特徴とする請求項１〜２０のうちいずれか１項に記載の美容装置。
【請求項２２】
前記汚れ除去機構は、前記液体を前記使用者の肌に噴射させることが可能なポンプ部を備えることを特徴とする請求項２１に記載の美容装置。
【請求項２３】
請求項１〜２２のうちいずれか１項に記載の美容装置を用い、前記アルカリ液供給機構によって前記使用者の肌に前記アルカリ液を供給しながら、前記汚れ除去機構によって前記使用者の肌に付着した汚れを除去することを特徴とする美容方法。
【請求項２４】
請求項１〜２２のうちいずれか１項に記載の美容装置を用い、前記アルカリ液供給機構によって前記使用者の肌に前記アルカリ液を供給した後に、前記汚れ除去機構によって前記使用者の肌に付着した汚れを除去することを特徴とする美容方法。
【請求項２５】
請求項１９または請求項２０に記載の美容装置を用い、前記アルカリ液供給機構によって前記使用者の肌に前記アルカリ液を供給しながら、前記汚れ除去機構によって前記使用者の肌に付着した汚れを除去し、
前記使用者の肌に付着した汚れを除去した後に、前記酸性液供給機構によって前記使用者の肌に前記酸性液を供給することを特徴とする美容方法。
【請求項２６】
請求項１９または請求項２０に記載の美容装置を用い、前記アルカリ液供給機構によって前記使用者の肌に前記アルカリ液を供給した後に、前記汚れ除去機構によって前記使用者の肌に付着した汚れを除去し、
前記使用者の肌に付着した汚れを除去した後に、前記酸性液供給機構によって前記使用者の肌に前記酸性液を供給することを特徴とする美容方法。
【請求項２７】
前記美容装置が前記アルカリ液を加熱する加熱部を備えており、
前記使用者の肌に、前記加熱部により加熱された前記アルカリ液を供給することを特徴とする請求項２３〜２６のうちいずれか１項に記載の美容方法。
【発明の詳細な説明】
【技術分野】
【０００１】
本発明は、美容装置および美容方法に関する。
【背景技術】
【０００２】
従来、美容装置として、液体を貯留するタンクと、タンク内の液体を外部に噴出する噴出口と、タンクから噴出口に至る流路の途中に設けられたピストンポンプと、を備えるものが知られている（例えば、特許文献１参照）。
【０００３】
この特許文献１では、ピストンポンプを作動させることで、タンク内の液体を脈動ジェット流として噴出口から放出させるようにしている。そして、噴出口から放出させた脈動ジェット流を頭皮などに当てることで、頭皮などの毛穴に付着した皮脂、汚れ、角栓などを除去できるようにしている。
【先行技術文献】
【特許文献】
【０００４】
【特許文献１】特開平１０−２６３０４４号公報
【発明の概要】
【発明が解決しようとする課題】
【０００５】
しかしながら、皮脂、汚れ、角栓などは、通常、複雑に混ざり合った状態で毛穴に固着している。そのため、上記従来の技術のように、単に脈動ジェット流を頭皮などに当てるだけでは、複雑に混ざり合った状態で固着している皮脂、汚れ、角栓などを容易に除去することは難しい。
【０００６】
本発明は、上記従来の課題を解決するもので、毛穴の皮脂、汚れ、角栓などをより容易に除去することのできる美容装置および美容方法を提供することを目的とする。
【課題を解決するための手段】
【０００７】
上記目的を達成するために、本発明の美容装置は、使用者の肌に供給されるアルカリ液を貯留するアルカリ液貯留部と、前記アルカリ液貯留部に貯留されたアルカリ液が吐出されるアルカリ液吐出口を有するアルカリ液通路と、前記使用者の肌に前記アルカリ液を供給するアルカリ液供給機構と、前記使用者の肌に付着した汚れを除去する汚れ除去機構と、を備えている。
【０００８】
これにより、アルカリ液によって、毛穴等に固着された角栓などのたんぱく質の加水分解が促進されて、毛穴等に固着した汚れを軟化させることができる。その結果、毛穴等に固着した汚れをより容易に除去することができるようになる。
【０００９】
また、本発明の美容方法は、前記美容装置を用い、前記アルカリ液供給機構によって前記使用者の肌に前記アルカリ液を供給しながら、前記汚れ除去機構によって前記使用者の肌に付着した汚れを除去するものである。
【００１０】
これにより、毛穴等に固着した汚れを軟化させながら除去することができるため、毛穴等に固着した汚れをより容易に除去することができるようになる。
【発明の効果】
【００１１】
本発明によれば、毛穴の皮脂、汚れ、角栓などをより容易に除去することのできる美容装置および美容方法を得ることができる。
【図面の簡単な説明】
【００１２】
【図１】本発明の実施の形態１にかかる美容装置を示す斜視図である。
【図２】本発明の実施の形態１にかかる美容装置を示す断面図である。
【図３】本発明の実施の形態１の変形例にかかる美容装置を示す断面図である。
【図４】本発明の実施の形態２にかかる美容装置を示す断面図である。
【図５】本発明の実施の形態３にかかる美容装置を示す断面図である。
【図６】本発明の実施の形態４にかかる美容装置を示す断面図である。
【図７】本発明の実施の形態５にかかる美容装置を示す正面図である。
【図８】本発明の実施の形態５にかかる美容装置を示す断面図である。
【図９】本発明の実施の形態６にかかる美容装置を示す斜視図である。
【図１０】本発明の実施の形態６にかかる美容装置を示す断面図である。
【発明を実施するための形態】
【００１３】
本発明の実施の形態にかかる美容装置は、使用者の肌に供給されるアルカリ液を貯留するアルカリ液貯留部と、前記アルカリ液貯留部に貯留されたアルカリ液が吐出されるアルカリ液吐出口を有するアルカリ液通路と、前記使用者の肌に前記アルカリ液を供給するアルカリ液供給機構と、前記使用者の肌に付着した汚れを除去する汚れ除去機構と、を備えるものである。
【００１４】
これにより、アルカリ液によって、毛穴等に固着された角栓などのたんぱく質の加水分解が促進されて、毛穴等に固着した汚れを軟化させることができる。その結果、毛穴等に固着した汚れをより容易に除去することができるようになる。
【００１５】
また、前記汚れ除去機構は、前記アルカリ液を前記使用者の肌に噴射させることが可能なポンプ部を備えるものである。
【００１６】
このように、アルカリ液を使用者の肌に噴射させることで毛穴等に固着した汚れを除去するようにすれば、汚れを軟化させながら噴射の勢いで除去することが可能となって、より効率的に毛穴等に固着した汚れを除去することができるようになる。また、毛穴の奥までアルカリ液を噴射させることができるため、毛穴の奥の汚れにアルカリ液を物理的に作用させて毛穴の奥の汚れを除去することが可能となる。
【００１７】
また、前記アルカリ液吐出口の近傍には、前記アルカリ液の跳ね返りを抑制する跳ね返り抑制部が設けられている。
【００１８】
これにより、アルカリ液吐出口から吐出されるアルカリ液が眼などに飛散してしまうのを抑制することができる。
【００１９】
また、前記アルカリ液吐出口の周囲には、前記アルカリ液が一方向に吐出されるようにガイドするガイド部が設けられている。
【００２０】
これにより、アルカリ液を肌に対して略垂直に吐出させて、アルカリ液を毛穴の奥まで供給することができるようになり、角栓などの汚れをより確実に除去することができるようになる。
【００２１】
また、前記アルカリ液吐出口の周囲には、前記使用者の肌との接触状態を検知する検知部が形成されている。
【００２２】
これにより、アルカリ液吐出口の周囲が肌と接触していない状態でアルカリ液が吐出されてしまうのを抑制することができ、美容装置の使い勝手を向上させることができる。
【００２３】
また、前記アルカリ液供給機構は、前記アルカリ液を前記使用者の肌に噴射させることが可能なポンプ部を備えるものである。
【００２４】
このように、アルカリ液を使用者の肌に噴射させることで、アルカリ液をより効率的に使用者の肌に供給することができるようになる。また、毛穴の奥までアルカリ液を供給することができ、毛穴の奥の汚れをより容易に除去することが可能となる。
【００２５】
また、前記アルカリ液を加熱する加熱部をさらに備えている。
【００２６】
これにより、加熱されたアルカリ液を使用者の肌に供給することができるようになる。その結果、角栓などの汚れの軟化をより促進することができ、角栓などの汚れより容易に除去することができるようになる。
【００２７】
また、前記加熱部は、前記アルカリ液吐出口から吐出される前記アルカリ液の温度が３７℃〜５０℃となるように、前記アルカリ液を加熱するものである。
【００２８】
こうすることで、肌に吐出されるアルカリ液の温度が肌温度以上となって、角栓などの汚れを容易に除去することができる。また、肌に吐出されるアルカリ液の温度が、肌に与える熱的影響を抑制することが可能な温度になっているため、汚れを除去する際に肌を傷めてしまうのを抑制することができる。
【００２９】
また、前記アルカリ液のｐＨを、９〜１２としたものである。
【００３０】
このように、アルカリ液のｐＨを９〜１２とすることで、眼や肌等のアルカリ液による刺激を抑制することができる。したがって、アルカリ液による肌等への刺激を抑制しつつ、角栓などの汚れをより容易に除去することができるようになる。
【００３１】
また、前記アルカリ液がｐＨ緩衝能を有しているものである。
【００３２】
このように、ｐＨ緩衝能を有するアルカリ液を用いれば、供給される肌の状態（肌のｐＨ）によってアルカリ液のｐＨが変化してしまうのを抑制することができるようになるため、より安定した洗浄力を確保することが可能となる。
【００３３】
また、前記アルカリ液には、抗菌成分および保湿成分のうち少なくともいずれか一方の成分が含まれている。
【００３４】
これにより、アルカリ液の保存性能を向上させたり、アルカリ液が供給された肌（使用後の肌）に与えられる刺激を低減させたりすることができるようになる。
【００３５】
また、前記アルカリ液に前記抗菌成分および前記保湿成分の両方の成分が含まれており、前記抗菌成分および前記保湿成分が同一の成分である。
【００３６】
これにより、調合する試薬の種類および量を低減させることが可能となり、アルカリ液通路内の液が乾燥した際に生じる試薬の再結晶によって通路が塞がれてしまうのを抑制することができるようになる。また、アルカリ液の生産性の向上を図ることができるようになる。
【００３７】
また、前記アルカリ液供給機構は、前記アルカリ液吐出口の周縁部に形成されたアルカリ液保持部を備えるものである。
【００３８】
これにより、美容装置使用時に、アルカリ液保持部から肌へとアルカリ液が供給され、角栓などの汚れをより確実に軟化させることができる。
【００３９】
また、前記汚れ除去機構は、前記使用者の肌に付着した汚れを吸引する吸引機構を備えるものである。
【００４０】
このように、軟化した角栓や毛穴の汚れを吸引機構によって吸引することで、使用者の肌に付着した汚れをより容易に除去することができるようになる。
【００４１】
また、前記汚れ除去機構は、繊維状のブラシを有するブラシ部を備えるものである。
【００４２】
このように、軟化した角栓などをブラシで掻き取って除去することで、使用者の肌に付着した汚れをより容易に除去することができるようになる。
【００４３】
また、前記汚れ除去機構は、前記ブラシを回転駆動させるモータを備えるものである。
【００４４】
これにより、使用者の肌に付着した汚れをより容易かつより確実に除去することができるようになる。
【００４５】
また、前記アルカリ液を生成するアルカリ液生成部をさらに備えるものである。
【００４６】
これにより、水道水などを用いてより簡便にアルカリ液を生成することができるようになる。
【００４７】
また、前記アルカリ液生成部は、陰極および陽極と、前記陰極と前記陽極との間に配置された隔膜とを有する電気分解部を備えるものである。
【００４８】
これにより、より簡素な構成でアルカリ液を生成することができるようになる。
【００４９】
また、前記電気分解部で生成された酸性液を貯留する酸性液貯留部と、前記酸性液貯留部に貯留された酸性液が吐出される酸性液吐出口を有する酸性液通路と、前記使用者の肌に前記酸性液を供給する酸性液供給機構と、を備えるものである。
【００５０】
これにより、アルカリ液だけでなく酸性液を肌に供給することが可能となる。
【００５１】
また、前記酸性液供給機構は、前記酸性液を前記使用者の肌に噴射させることが可能なポンプ部を備えるものである。
【００５２】
これにより、酸性液をより効率的に使用者の肌に供給することができる上、毛穴の奥まで酸性液を供給することができるようになる。
【００５３】
また、前記アルカリ液とは異なる液体を貯留する液体貯留部と、前記液体貯留部に貯留された液体が吐出される液体吐出口を有する液体通路と、前記使用者の肌に前記液体を供給する液体供給機構と、を備えるものである。
【００５４】
これにより、アルカリ液だけでなくアルカリ液とは異なる液体を肌に供給することが可能となる。
【００５５】
また、前記汚れ除去機構は、前記液体を前記使用者の肌に噴射させることが可能なポンプ部を備えるものである。
【００５６】
これにより、毛穴の奥まで液体を供給することができ、毛穴の奥の汚れをより容易に除去することが可能となる。
【００５７】
また、本発明の実施の形態にかかる美容方法は、前記美容装置を用い、前記アルカリ液供給機構によって前記使用者の肌に前記アルカリ液を供給しながら、前記汚れ除去機構によって前記使用者の肌に付着した汚れを除去するものである。
【００５８】
これにより、より容易に使用者の肌に付着した汚れを除去することができるようになる。また、前処理の時間を設けなくても、使用者の肌に付着した汚れをより容易に除去することができるため、より短時間で使用者の肌に付着した汚れを除去することができる。
【００５９】
また、前記美容装置を用い、前記アルカリ液供給機構によって前記使用者の肌に前記アルカリ液を供給した後に、前記汚れ除去機構によって前記使用者の肌に付着した汚れを除去するものである。
【００６０】
これにより、より容易に使用者の肌に付着した汚れを除去することができるようになる。また、アルカリ液で角栓などのたんぱく質を加水分解させて軟化させた後で除去するため、より確実に使用者の肌に付着した汚れを除去することができる。
【００６１】
また、前記美容装置を用い、前記アルカリ液供給機構によって前記使用者の肌に前記アルカリ液を供給しながら、前記汚れ除去機構によって前記使用者の肌に付着した汚れを除去し、前記使用者の肌に付着した汚れを除去した後に、前記酸性液供給機構によって前記使用者の肌に前記酸性液を供給するものである。
【００６２】
これにより、酸性液を後処理として使用者の肌に供給させることができる。また、酸性液を使用者の肌に供給することで、肌のｐＨを正常領域に回復させて、肌の状態を整えることができるようになる。
【００６３】
また、前記美容装置を用い、前記アルカリ液供給機構によって前記使用者の肌に前記アルカリ液を供給した後に、前記汚れ除去機構によって前記使用者の肌に付着した汚れを除去し、前記使用者の肌に付着した汚れを除去した後に、前記酸性液供給機構によって前記使用者の肌に前記酸性液を供給するものである。
【００６４】
これにより、酸性液を後処理として使用者の肌に供給させることができる。また、酸性液を使用者の肌に供給することで、肌のｐＨを正常領域に回復させて、肌の状態を整えることができるようになる。
【００６５】
また、前記美容装置が前記アルカリ液を加熱する加熱部を備えており、前記使用者の肌に、前記加熱部により加熱された前記アルカリ液を供給するものである。
【００６６】
このように、加熱されたアルカリ液が使用者の肌に供給されるようにすれば、より容易に使用者の肌に付着した汚れを除去することができるようになる。
【００６７】
以下、本発明の実施の形態について、図面を参照しながら説明する。なお、この実施の形態によって本発明が限定されるものではない。
【００６８】
また、以下では、通常使用時にアルカリ液吐出口が位置する側を美容装置の上側と規定して説明する。
【００６９】
また、以下の複数の実施の形態には、同様の構成要素が含まれている。よって、以下では、それら同様の構成要素には共通の符号を付与するとともに、重複する説明を省略する。
【００７０】
（実施の形態１）
本実施の形態１にかかる美容装置１０は、図１に示すように、把持部２１ａが形成された本体部２０と、本体部２０の下部に着脱可能に取り付けられるタンクケース３０と、本体部２０の上部に着脱可能に取り付けられるノズル部４０と、を備えている。
【００７１】
この美容装置１０は、内部に貯留されたアルカリ液Ｌ１を、ノズル部４０の先端４２に形成されたアルカリ液吐出口８０ａから使用者Ｕの肌Ｓに吐出させることで、使用者Ｕの肌Ｓに付着した汚れを除去する装置である。このように、アルカリ液Ｌ１を使用者Ｕの肌Ｓに吐出させるようにすれば、使用者Ｕの肌Ｓの毛穴に付着した皮脂、汚れ、角栓などをより容易に除去することができるようになる。
【００７２】
以下、本実施の形態１にかかる美容装置１０の具体的な構成について説明する。
【００７３】
本体部２０は、絶縁性の合成樹脂で形成された細長い略筒状のケーシング２１を備えており、このケーシング２１の筒内に主要な構成要素が収容されている。
【００７４】
そして、ケーシング２１の長手方向略中央部には、把持部２１ａが形成されている。本実施の形態１では、ケーシング２１の長手方向略中央部、すなわち、ケーシング２１の把持部２１ａとなる部位に、内側に向けて凸となるように湾曲させた凹部２１ｂを形成している。このように、凹部２１ｂを形成し、ケーシング２１の把持部２１ａとなる部位を細くすることで、把持部２１ａの形状を手で握りやすい形状となるようにしている。
【００７５】
また、本実施の形態１では、ケーシング２１の底面２１ｅを平坦面としており、非使用時に、ノズル部４０を上にした姿勢で静置できるようにしている。
【００７６】
また、把持部２１ａの表面には、手指側電極９２が露出するように設けられている。本実施の形態１では、手指側電極９２は、把持部２１ａ（本体部２０）の長手方向に沿って短冊状に細長く形成されており、使用者Ｕが把持部２１ａを握った際に手に密着させることができるようにしている。
【００７７】
そして、把持部２１ａにおいて、手指側電極９２の反対側となる位置（美容装置１０の正面）には、電源のＯＮ／ＯＦＦを切り換える電源スイッチ２２ａおよび動作モードを切り換えるモードスイッチ２２ｂを含むスイッチ２２が設けられている。
【００７８】
また、ケーシング２１の上端部には、上側開口２１ｃが形成されており、この上側開口２１ｃにノズル部４０の突起部４１を嵌挿することで、ノズル部４０を本体部２０の上部に着脱可能に取り付けることができるようにしている。本実施の形態１では、ケーシング２１の上端部に突没可能な押釦２３が取り付けられており、この押釦２３を操作（例えば押し込み操作）することで、本体部２０（ケーシング２１）とノズル部４０との結合を解除できるようにしている。
【００７９】
一方、ケーシング２１の下端部には、下側開口２１ｄが形成されており、この下側開口２１ｄにタンクケース３０を嵌挿することで、タンクケース３０を本体部２０の下部に着脱可能に取り付けることができるようにしている。そして、このタンクケース３０を本体部２０の下部に取り付けた際に、タンクケース３０の内部にアルカリ液Ｌ１を貯留するアルカリ液貯留部３３が形成されるようにしている。
【００８０】
なお、上述したように、本実施の形態１では、タンクケース３０を着脱可能としているため、タンクケース３０を本体部２０から取り外して容易に清掃できるようになっている。また、タンクケース３０の側壁には蓋３２で閉塞された開口部３１が形成されており、この蓋３２を外してアルカリ液貯留部３３内に給液することができるようになっている。
【００８１】
ここで、本実施の形態１では、蓋３２を外してアルカリ液貯留部３３内にｐＨ調整用のタブレット剤３４を入れ、水道水等の液体を給液することで、アルカリ液Ｌ１を生成するようにしている。なお、給液する液体としては、常温の液体を用いることもできるが、４０℃程度に加温された液体を用いることもできる。４０℃程度の液体を給液した場合、タンパク質の溶解がより促進されることとなるため、洗浄力をより高めることができるようになる。また、アルカリ液貯留部３３内にアルカリ液Ｌ１を貯留させる方法は上記の方法に限られるものではなく、例えば、予め用意したアルカリ液Ｌ１を、アルカリ液貯留部３３内に直接貯留させるようにしてもよい。このとき、予め用意したアルカリ液Ｌ１を加温した後にアルカリ液貯留部３３内に貯留させるようにすることもできる。
【００８２】
また、アルカリ液貯留部３３内に貯留するアルカリ液Ｌ１は、ｐＨが９〜１２の範囲となるようにするのが好ましい。アルカリ液Ｌ１のｐＨを上記範囲とすれば、使用者Ｕの眼や肌Ｓへの刺激を抑制することができるためである。
【００８３】
このアルカリ液Ｌ１は、例えば、主成分である水と、約０．１ｗｔ％のリン酸３ナトリウムと、約１ｗｔ％のリン酸水素２ナトリウムと、約３ｗｔ％のプロパンジオールと、を含む液体とすることができる。すなわち、主成分である水に、約０．１ｗｔ％のリン酸３ナトリウムと、約１ｗｔ％のリン酸水素２ナトリウムと、約３ｗｔ％のプロパンジオールと、を調合する（溶解させる）ことでアルカリ液Ｌ１を生成することができる。このようにして生成されたアルカリ液Ｌ１のｐＨは、約１０．７となる。
【００８４】
なお、アルカリ液Ｌ１を生成する際に、リン酸３ナトリウムおよびリン酸水素２ナトリウムを用いると、比較的少ない調合量で上述のｐＨ（約１０．７）となるアルカリ液Ｌ１を生成することができる。このように、アルカリ液Ｌ１を生成する際に用いられる試薬の調合量を少なくすれば、後述するアルカリ液通路８０内の液が乾燥した際に生じる試薬の再結晶によって、アルカリ液通路８０やアルカリ液吐出口８０ａが塞がれてしまうのを抑制することができるようになる。また、アルカリ液Ｌ１の生産性の向上を図ることができるようになる。
【００８５】
また、リン酸３ナトリウムおよびリン酸水素２ナトリウムを用いることでｐＨ緩衝能に優れたアルカリ液Ｌ１とすることができるようになる。すなわち、上記の成分を調合することで生成されたアルカリ液Ｌ１は、ｐＨ緩衝能を有する液体となっている。
【００８６】
このように、ｐＨ緩衝能を有するアルカリ液Ｌ１を美容装置１０に用いれば、供給される肌Ｓの状態（肌ＳのｐＨ）によってアルカリ液のｐＨが変化してしまうのを抑制することができるようになる。すなわち、アルカリ液Ｌ１が供給される前の肌Ｓの状態（肌ＳのｐＨ）にかかわらず、肌Ｓに供給された状態におけるアルカリ液Ｌ１のｐＨが生成時の値（上記成分を含むアルカリ液Ｌ１では約１０．７）から大きく外れてしまわないようにすることができる。
【００８７】
このように、肌Ｓに供給された状態におけるアルカリ液Ｌ１のｐＨの変化を極力少なくすることで、アルカリ液Ｌ１のｐＨが変化してしまうことに起因する洗浄力の低下を抑制することができるようになる。すなわち、アルカリ液Ｌ１にｐＨ緩衝能を持たせるようにすれば、より安定した洗浄力を確保することができるようになる。
【００８８】
また、アルカリ液Ｌ１としてｐＨ緩衝能を有する液体を用いれば、アルカリ液Ｌ１を希釈した際に生じるｐＨの変化も極力少なくすることができるため、希釈したアルカリ液Ｌ１を用いて肌Ｓの洗浄を行うことが可能となる。このように、希釈したアルカリ液Ｌ１を用いて肌Ｓの洗浄を行えるようにすれば、１回の洗浄で使用される試薬の量をより少なくすることができるようになるため、アルカリ液通路８０やアルカリ液吐出口８０ａが塞がれてしまうのをより抑制することができるようになる。
【００８９】
なお、アルカリ液Ｌ１を水で希釈する際には、常温水を用いることもできるが、４０℃程度の加温水を用いることもできる。４０℃程度の加温水を用いて希釈した場合、タンパク質の溶解がより促進されることとなるため、洗浄力をより高めることができるようになる。
【００９０】
また、プロパンジオールは液の抗菌作用および肌の保湿作用を有しているため、プロパンジオールが調合されたアルカリ液Ｌ１には、抗菌成分および保湿成分の両方の成分（抗菌成分および保湿成分のうち少なくともいずれか一方の成分）が含まれていることになる。しかも、抗菌成分および保湿成分が同一の成分（プロパンジオール）となっている。
【００９１】
このように、アルカリ液Ｌ１をプロパンジオールが調合された液体とすれば、アルカリ液Ｌ１の保存性能を向上させることができる上、アルカリ液Ｌ１が供給された肌Ｓ（使用後の肌Ｓ）に与えられる刺激を低減させることができるようになる。
【００９２】
また、液の抗菌作用および肌の保湿作用を有するプロパンジオールを用いるようにすれば、すなわち、抗菌成分および保湿成分として同一の成分を用いるようにすれば、調合する試薬の種類および量を低減させることが可能となる。その結果、アルカリ液通路８０内の液が乾燥した際に生じる試薬の再結晶によって、アルカリ液通路８０やアルカリ液吐出口８０ａが塞がれてしまうのを抑制することができるようになる上、アルカリ液Ｌ１の生産性の向上を図ることができるようになる。
【００９３】
なお、アルカリ液Ｌ１は、上記の成分以外の成分を含んでいてもよい。また、アルカリ液Ｌ１は、上記の成分以外の成分、すなわち、炭酸ナトリウム、炭酸水素ナトリウム、ＡＭＰＤ（２−アミノ−２−メチル−１，３−プロパンジオール）、ピロリン酸２ナトリウム、ピロリン酸３ナトリウム、プロピオン酸ナトリウム等、様々な成分を用いて生成することができる。
【００９４】
そして、美容装置１０内には、アルカリ液貯留部３３内に貯留されたアルカリ液Ｌ１が通過するアルカリ液通路８０が形成されており、このアルカリ液通路８０の下流端が、アルカリ液Ｌ１を美容装置１０の外部に吐出させるアルカリ液吐出口８０ａとなっている。すなわち、アルカリ液貯留部３３内に貯留されたアルカリ液Ｌ１は、アルカリ液通路８０を通ってアルカリ液吐出口８０ａから吐出されるようになっている。
【００９５】
ここで、本実施の形態１では、アルカリ液貯留部３３内に貯留されたアルカリ液Ｌ１を使用者Ｕの肌Ｓに供給するアルカリ液供給機構を美容装置１０に設け、このアルカリ液供給機構によってアルカリ液Ｌ１がアルカリ液吐出口８０ａから吐出されるようにしている。
【００９６】
具体的には、アルカリ液通路８０の途中に、アルカリ液供給機構としてのポンプ部５０を設け、このポンプ部５０を作動させることで、アルカリ液貯留部３３内に貯留されたアルカリ液Ｌ１をアルカリ液吐出口８０ａから噴射させるようにしている。
【００９７】
すなわち、アルカリ液通路８０は、アルカリ液貯留部３３内に貯留されたアルカリ液Ｌ１をポンプ部５０に供給する吸入側通路８１を有している。さらに、アルカリ液通路８０は、アルカリ液吐出口８０ａを有し、ポンプ部５０内のアルカリ液Ｌ１が導入される吐出側通路８２を有している。
【００９８】
なお、本実施の形態１では、吸入側通路８１は、通常の使用時に先端がアルカリ液貯留部３３内のアルカリ液Ｌ１に浸されるチューブ８１ａと、チューブ８１ａの下流側に連設されるとともにポンプ部５０の上流側に連設されるパイプ８１ｂと、で構成されている。
【００９９】
一方、吐出側通路８２は、ポンプ部５０の下流側に連設されるケーシング内通路８２ａと、ノズル部４０を本体部２０の上部に取り付けた際に、ケーシング内通路８２ａの上流側に連通するノズル内通路８２ｂと、で構成されている。したがって、本実施の形態１では、ノズル部４０の先端４２にアルカリ液吐出口８０ａが形成されている。
【０１００】
また、ポンプ部５０は、本体部２０に内蔵されており、単筒のピストンポンプ５１と、当該ピストンポンプ５１を駆動する電動モータ５２とを含んでいる。
【０１０１】
そして、電動モータ５２は、電源としての蓄電池６０に電気的に接続されており、当該蓄電池６０の電力によって駆動するようになっている。
【０１０２】
一方、ピストンポンプ５１は、筒状のシリンダ５１ａと、当該シリンダ５１ａの筒内に進退可能に嵌挿されるピストン５１ｂと、を備えている。そして、ピストン５１ｂの往復動に応じて容積室５１ｃを膨張・収縮させることで、この容積室５１ｃを介してアルカリ液Ｌ１を吸入して吐出するようにしている。なお、本実施の形態１では、ギヤやリンク等を含む動作変換機構部５５をさらに備えており、電動モータ５２の回転をこの動作変換機構部５５によってピストン５１ｂの往復動に変換させている。
【０１０３】
そして、ピストンポンプ５１の容積室５１ｃを、逆止弁５３を介して吸入側通路８１（パイプ８１ｂ）と連通させるとともに、逆止弁５４を介して吐出側通路８２（ケーシング内通路８２ａ）と連通させている。したがって、ピストン５１ｂが図２で下降して容積室５１ｃが拡大（膨張）すると、吸入側の逆止弁５３が開弁して吸入側通路８１から容積室５１ｃにアルカリ液Ｌ１が流入することとなる。一方、ピストン５１ｂが図２で上昇して容積室５１ｃが縮小（収縮）すると、吐出側の逆止弁５４が開弁して容積室５１ｃからアルカリ液Ｌ１が吐出側通路８２に吐出され、アルカリ液吐出口８０ａから吐出されることとなる。このとき、吸入ストロークの際には吐出側の逆止弁５４は閉弁し、吐出ストロークの際には吸入側の逆止弁５３は閉弁している。よって、ピストンポンプ５１を備えた本実施の形態１にかかる美容装置１０では、常に、逆止弁５３，５４の上流側と下流側とでアルカリ液Ｌ１が遮断されていることになる。
【０１０４】
また、ケーシング２１の空洞内（筒内）には、ポンプ部５０を構成するピストンポンプ５１および電動モータ５２の他、電源としての蓄電池６０、ならびに電動モータ５２に供給する電力を制御する回路基板７０が設けられている。なお、蓄電池６０は、回路基板７０上に固定された電池ホルダー６１に支持されており、回路基板７０には、蓄電池６０と手指側電極９２とを電気的に接続する導電経路、および、蓄電池６０と肌側電極９１とを電気的に接続する導電経路がそれぞれ形成されている。
【０１０５】
このように、使用時に手指と接触する手指側電極９２が、蓄電池６０の一方の極に導電経路を介して接続されており、肌側電極９１が、蓄電池６０の他方の極に導電経路を介して接続されている。
【０１０６】
ここで、本実施の形態１では、肌側電極９１を、蓄電池６０の他方の極に導電経路の一部をなすリード線９４ａを介して接続されるようにするとともに、少なくともアルカリ液Ｌ１を介して使用者Ｕの肌Ｓと電気的に接続されるようにしている。すなわち、肌側電極９１をアルカリ液通路８０の吐出側通路８２（ケーシング内通路８２ａ）内に露出するように設け、逆止弁５３，５４より下流側の吐出側通路８２に臨ませることで、吐出側通路８２内のアルカリ液Ｌ１を、肌側電極９１と使用者Ｕの肌Ｓとの間の導電経路として利用している。
【０１０７】
また、本実施の形態１では、逆止弁５３，５４よりも上流側のアルカリ液Ｌ１を、蓄電池６０と手指側電極９２とを電気的に接続する導電経路の一部として利用している。具体的には、手指側電極９２をアルカリ液貯留部３３の内面に導通可能な状態で臨ませるとともに、本体部２０の当該手指側電極９２に対向する部分に対向電極９３ｂを露出させ、この対向電極９３ｂと蓄電池６０とをリード線９３ａによって電気的に接続している。このように、アルカリ液Ｌ１を、蓄電池６０と手指側電極９２とを電気的に接続する導電経路の一部として利用することで、蓄電池６０と手指側電極９２との間の長い配線を簡素化することができ、製造工程の手間を省くことができる。
【０１０８】
このとき、アルカリ液貯留部３３内のアルカリ液Ｌ１による導電経路を、アルカリ液Ｌ１の貯留量が少ない状態でも有効に機能させるため、蓄電池６０と手指側電極９２とを電気的に接続する導電経路がアルカリ液貯留部３３の底部（下部）近傍に形成されるようにするのが好ましい。そこで、本実施の形態１では、図２に示すように、手指側電極９２の内面をアルカリ液貯留部３３の底部に臨ませるとともに、対向電極９３ｂを底部に隣接して配置している。
【０１０９】
なお、上流側のアルカリ液通路８０（吸入側通路８１）内のアルカリ液Ｌ１を、蓄電池６０と手指側電極９２との間の導電経路として利用したとしても、本実施の形態１では、上述したように、通常は逆止弁５３，５４によって吸入側通路８１と吐出側通路８２とが遮断されている。すなわち、吸入側通路８１内のアルカリ液Ｌ１と吐出側通路８２内のアルカリ液Ｌ１とが逆止弁５３，５４によって遮断されている。そのため、アルカリ液通路８０内のアルカリ液Ｌ１によって蓄電池６０の極間が短絡されることはない。
【０１１０】
以上説明したように、本実施の形態１では、美容装置１０の使用時に、ポンプ部５０が動作してアルカリ液Ｌ１が肌Ｓに供給された際に、肌Ｓを通電する通電機構９０が形成されるようにしている。
【０１１１】
すなわち、蓄電池６０の一方の極から、回路基板７０、リード線９４ａ、肌側電極９１、アルカリ液Ｌ１（吐出側通路８２内から肌Ｓ）、使用者Ｕの肌（顔、腕等の肌）Ｓ、手指側電極９２、吸入側通路８１内のアルカリ液Ｌ１、対向電極９３ｂ、リード線９３ａ、および回路基板７０を経て、蓄電池６０の他方の極に至る回路が形成されるようにしている。こうすることで、肌Ｓのマッサージ効果をより高めることができるようになる。
【０１１２】
このとき、肌Ｓも含めた回路に流す電流は、直流でも交流でも良いし、一定値の電流でもパルス状の電流でもよい。また、回路基板７０を利用して、低周波治療器のように周期的に電流の正負を交互に入れ替えるようにしてもよい。こうすれば、肌Ｓのマッサージ効果をより高めることができるようになる。
【０１１３】
なお、本実施の形態１では、美容装置１０に肌Ｓを通電する通電機構９０を設けたものを例示しているが、通電機構９０を設けない美容装置とすることも可能である。
【０１１４】
さらに、本実施の形態１では、アルカリ液吐出部８０ａの周囲（アルカリ液吐出口８０ａの近傍）に、樹脂で形成された円筒状の跳ね返り抑制部４３が設けられており、美容装置１０の使用時に、肌Ｓに吐出されたアルカリ液Ｌ１が跳ね返ったり、周囲に飛び散ったりしてしまうのを抑制できるようにしている。
【０１１５】
また、跳ね返り抑制部４３の周囲（アルカリ液吐出口８０ａの周囲）には、アルカリ液Ｌ１が一方向（肌Ｓに対して略垂直の方向）に吐出されるようにガイドするガイド部４４が設けられている。本実施の形態１では、ガイド部４４は、樹脂で形成されており、円筒状の筒部４４ａと筒部４４ａの先端から外周側に延在するフランジ部４４ｂとを備えている。
【０１１６】
なお、本実施の形態１では、跳ね返り抑制部４３とガイド部４４とを別部材で形成しているが、１つの部材が跳ね返り抑制部４３およびガイド部４４を兼ねるようにしてもよい。
【０１１７】
さらに、本実施の形態１では、ガイド部４４の先端であるフランジ部４４ｂ（アルカリ液吐出口８０ａの周囲）に、ガイド部４４と肌Ｓとの接触状態を検知する検知部４５が設けられている。この検知部４５としては、通電の有無により接触状態を検知するセンサや所定のばね圧が付加されたか否かにより接触状態を検知するセンサ等、公知の検知センサを用いることができる。
【０１１８】
そして、ガイド部４４のフランジ部４４ｂ（アルカリ液吐出口８０ａの周囲）が肌Ｓと接触していない場合には、アルカリ液Ｌ１が吐出されないように制御されている。
【０１１９】
次に、かかる構成をした美肌装置１０の動作、作用の一例について説明する。
【０１２０】
まず、使用者Ｕが蓋３２を外してアルカリ液貯留部３３内にｐＨ調整用のタブレット剤３４を入れ、水道水等の液体を給液することで、アルカリ液Ｌ１を生成する。本実施の形態１では、ｐＨ１１．５程度（ｐＨ９〜１２の範囲）のアルカリ液Ｌ１がアルカリ液貯留部３３内に貯留されるようにしている。
【０１２１】
なお、ケーシング２１から外した状態のタンクケース３０内にアルカリ液Ｌ１を貯留し、ケーシング２１の下側開口２１ｄにタンクケース３０を嵌挿することで、アルカリ液Ｌ１がアルカリ液貯留部３３内に貯留されるようにしてもよい。
【０１２２】
そして、ノズル部４０の先端４２（フランジ部４４ｂ）に設けられた検知部４５を、例えば、小鼻の肌表面等に接触させた状態で、スイッチ２２を操作する。
【０１２３】
このように、使用者Ｕの肌Ｓに美容装置１０（フランジ部４４ｂ）を接触させた状態でスイッチ２２を操作すると、ポンプ部５０が駆動する。なお、使用者Ｕの肌Ｓに美容装置１０（フランジ部４４ｂ）を接触させていない状態でスイッチ２２を操作しても、検知部４５がガイド部４４と肌Ｓとの接触を検知しないため、ポンプ部５０は駆動しない。
【０１２４】
そして、ポンプ部５０が駆動することで、アルカリ液貯留部３３内に貯留されたアルカリ液Ｌ１は、吸入側通路８１を通ってピストンポンプ５１の容積室５１ｃに流入する。
【０１２５】
そして、容積室５１ｃに流入したアルカリ液Ｌ１が、容積室５１ｃから吐出側通路８２に吐出される。
【０１２６】
そして、アルカリ液Ｌ１は、吐出側通路８２を通ってアルカリ液吐出口８０ａから使用者Ｕの小鼻の表面等の肌Ｓに向け噴射される。
【０１２７】
このように、アルカリ液Ｌ１を肌Ｓに噴射させることで、アルカリ液Ｌ１が肌Ｓに供給され、このアルカリ液Ｌ１によって毛穴等に固着した汚れが軟化する。さらに、アルカリ液Ｌ１を肌Ｓに噴射させた際におけるアルカリ液Ｌ１の噴射の勢いで、毛穴等に固着した汚れが除去される。
【０１２８】
このように、本実施の形態１にかかる美容方法は、美容装置１０を用い、アルカリ液供給機構によって使用者Ｕの肌Ｓにアルカリ液Ｌ１を供給しながら、汚れ除去機構によって使用者Ｕの肌Ｓに付着した汚れを除去するものである。
【０１２９】
なお、本実施の形態１では、上述したように、ポンプ部５０が、アルカリ液供給機構としての機能だけでなく汚れ除去機構としての機能も有している。
【０１３０】
以上説明したように、本実施の形態１にかかる美容装置１０は、使用者Ｕの肌Ｓに供給されるアルカリ液Ｌ１を貯留するアルカリ液貯留部３３と、アルカリ液貯留部３３に貯留されたアルカリ液Ｌ１が吐出されるアルカリ液吐出口８０ａを有するアルカリ液通路８０と、使用者Ｕの肌Ｓにアルカリ液Ｌ１を供給するアルカリ液供給機構と、使用者Ｕの肌Ｓに付着した汚れを除去する汚れ除去機構と、を備えている。
【０１３１】
これにより、アルカリ液Ｌ１によって、毛穴等に固着された角栓などのたんぱく質の加水分解が促進されて、毛穴等に固着した汚れを軟化させることができる。その結果、毛穴等に固着した汚れをより容易に除去することができるようになる。
【０１３２】
また、汚れ除去機構は、アルカリ液Ｌ１を使用者Ｕの肌Ｓに噴射させることが可能なポンプ部５０を備えている。
【０１３３】
このように、アルカリ液Ｌ１を使用者Ｕの肌Ｓに噴射させることで毛穴等に固着した汚れを除去するようにすれば、汚れを軟化させながら噴射の勢いで除去することが可能となって、より効率的に毛穴等に固着した汚れを除去することができるようになる。また、毛穴の奥までアルカリ液Ｌ１を噴射させることができるため、毛穴の奥の汚れにアルカリ液Ｌ１を物理的に作用させて毛穴の奥の汚れを除去することが可能となる。
【０１３４】
また、アルカリ液吐出口８０ａの近傍には、アルカリ液Ｌ１の跳ね返りを抑制する跳ね返り抑制部４３が設けられている。
【０１３５】
これにより、顔の汚れを除去する際等、美容装置１０の使用時に、アルカリ液吐出口８０ａから吐出されるアルカリ液Ｌ１が眼などに飛散してしまうのを抑制することができる。
【０１３６】
また、アルカリ液吐出口８０ａの周囲には、アルカリ液Ｌ１が一方向（肌Ｓに対して略垂直の方向）に吐出されるようにガイドするガイド部４４が設けられている。
【０１３７】
これにより、アルカリ液Ｌ１を肌Ｓに対して略垂直に吐出させて、アルカリ液Ｌ１を毛穴の奥まで供給することができるようになり、角栓などの汚れをより確実に除去することができるようになる。
【０１３８】
また、アルカリ液吐出口８０ａの周囲に、使用者Ｕの肌Ｓとの接触状態を検知する検知部４５を形成している。
【０１３９】
これにより、アルカリ液吐出口８０ａの周囲が肌Ｓと接触していない状態でアルカリ液Ｌ１が吐出されてしまうのを抑制することができる。例えば、アルカリ液吐出口８０ａの周囲が肌Ｓと接触していない状態のときには、アルカリ液Ｌ１を吐出させないように制御することができる。このような制御を行うことで、美容装置１０の使用中に、使用者Ｕが美容装置１０を肌Ｓから離した際にアルカリ液Ｌ１が吐出されてしまうのを抑制することができるようになる。その結果、アルカリ液Ｌ１を毛穴以外の部位に誤って噴射させてしまったり、吐出されたアルカリ液Ｌ１が周囲にこぼれてしまったりすることを抑制することができる。このように、アルカリ液吐出口８０ａの周囲に、使用者Ｕの肌Ｓとの接触状態を検知する検知部４５を形成することで、美容装置１０の使い勝手を向上させることができるようになる。
【０１４０】
また、アルカリ液供給機構は、アルカリ液Ｌ１を使用者Ｕの肌Ｓに噴射させることが可能なポンプ部５０を備えている。
【０１４１】
このように、アルカリ液Ｌ１を使用者Ｕの肌Ｓに噴射させることで、アルカリ液Ｌ１をより効率的に使用者Ｕの肌Ｓに供給することができるようになる。また、毛穴の奥までアルカリ液Ｌ１を供給することができ、毛穴の奥の汚れをより容易に除去することが可能となる。
【０１４２】
また、アルカリ液Ｌ１のｐＨを、９〜１２となるようにしている。
【０１４３】
このように、アルカリ液Ｌ１のｐＨを９〜１２とすることで、眼や肌Ｓ等のアルカリ液Ｌ１による刺激を抑制することができる。したがって、アルカリ液Ｌ１による肌Ｓ等への刺激を抑制しつつ、角栓などの汚れをより容易に除去することができるようになる。
【０１４４】
また、アルカリ液Ｌ１がｐＨ緩衝能を有するようにすることができる。
【０１４５】
このようなｐＨ緩衝能を有するアルカリ液Ｌ１を用いれば、供給される肌Ｓの状態（肌ＳのｐＨ）によってアルカリ液Ｌ１のｐＨが変化してしまうのを抑制することができるようになるため、より安定した洗浄力を確保することが可能となる。
【０１４６】
また、アルカリ液Ｌ１に、抗菌成分および保湿成分のうち少なくともいずれか一方の成分が含まれるようにすることもできる。
【０１４７】
こうすれば、アルカリ液Ｌ１の保存性能を向上させたり、アルカリ液Ｌ１が供給された肌Ｓ（使用後の肌Ｓ）に与えられる刺激を低減させたりすることができるようになる。
【０１４８】
また、アルカリ液Ｌ１に抗菌成分および保湿成分の両方の成分が含まれるようにし、抗菌成分および保湿成分が同一の成分となるようにすることもできる。
【０１４９】
こうすれば、調合する試薬の種類および量を低減させることが可能となり、アルカリ液通路８０内の液が乾燥した際に生じる試薬の再結晶によってアルカリ液通路８０が塞がれてしまうのを抑制することができるようになる。また、アルカリ液Ｌ１の生産性の向上を図ることができるようになる。
【０１５０】
また、本実施の形態１にかかる美容方法は、美容装置１０を用い、アルカリ液供給機構によって使用者Ｕの肌Ｓにアルカリ液Ｌ１を供給しながら、汚れ除去機構によって使用者Ｕの肌Ｓに付着した汚れを除去するものである。
【０１５１】
これにより、より容易に使用者Ｕの肌Ｓに付着した汚れを除去することができるようになる。また、前処理の時間を設けなくても、使用者Ｕの肌Ｓに付着した汚れをより容易に除去することができるため、より短時間で使用者Ｕの肌Ｓに付着した汚れを除去することができる。
【０１５２】
なお、図３に示す美容装置１０Ａのように、上記実施の形態１の美容装置１０に加熱部８３を設けるようにすることも可能である。この美容装置１０Ａは、加熱部８３を備えている点のみが美容装置１０と異なっており、その他の構成は美容装置１０と同様である。
【０１５３】
図３に示す美容装置１０Ａでは、吸入側通路８１（パイプ８１ｂ）の周囲に、アルカリ液Ｌ１を加熱する加熱部８３を設けている。そして、加熱されたアルカリ液Ｌ１が使用者Ｕの肌Ｓに吐出されるようにしている。この加熱部８３としては、例えば、ヒータ等を用いることができる。
【０１５４】
このとき、加熱部８３は、アルカリ液吐出口８０ａから吐出されるアルカリ液Ｌ１の温度が３７℃〜５０℃となるように、アルカリ液Ｌ１を加熱するのが好ましい。
【０１５５】
このように、肌Ｓに吐出されるアルカリ液Ｌ１の温度を３７℃以上とすることで、アルカリ液Ｌ１の温度が肌温度以上となるため、角栓などの汚れを軟化させることが可能となって、汚れをより容易に除去することができるようになる。また、肌Ｓに吐出されるアルカリ液Ｌ１の温度を５０℃以下とすることで、肌Ｓに吐出されるアルカリ液Ｌ１の温度を肌Ｓに与える熱的影響を抑制することが可能な温度とすることができ、汚れを除去する際に肌Ｓを傷めてしまうのを抑制することができるようになる。
【０１５６】
こうすれば、吸入側通路８１（パイプ８１ｂ）の周囲に設けられた加熱部８３によって約４０℃（３７℃〜５０℃の範囲）に加熱されたアルカリ液Ｌ１が容積室５１ｃに流入することとなる。
【０１５７】
そして、容積室５１ｃに流入した加熱されたアルカリ液Ｌ１が、容積室５１ｃから吐出側通路８２に吐出されることとなる。
【０１５８】
そして、加熱されたアルカリ液Ｌ１が、吐出側通路８２を通ってアルカリ液吐出口８０ａから使用者Ｕの小鼻の表面等の肌Ｓに向け噴射されることとなる。
【０１５９】
このように、加熱されたアルカリ液Ｌ１を肌Ｓに噴射させることで、加熱されたアルカリ液Ｌ１が肌Ｓに供給され、このアルカリ液Ｌ１によって毛穴等に固着した汚れが軟化する。さらに、加熱されたアルカリ液Ｌ１を肌Ｓに噴射させた際におけるアルカリ液Ｌ１の噴射の勢いで、毛穴等に固着した汚れが除去される。
【０１６０】
このように、美容装置１０Ａを用いて行う美容方法は、アルカリ液供給機構によって使用者Ｕの肌Ｓに加熱されたアルカリ液Ｌ１を供給しながら、汚れ除去機構によって使用者Ｕの肌Ｓに付着した汚れを除去するものである。
【０１６１】
このような美容装置１０Ａを用いても、上記実施の形態１で示した美容装置１０とほぼ同様の作用、効果を奏することができる。
【０１６２】
また、美容装置１０Ａは、アルカリ液Ｌ１を加熱する加熱部８３をさらに備えている。
【０１６３】
これにより、加熱されたアルカリ液Ｌ１を使用者Ｕの肌Ｓに供給することができるようになる。その結果、角栓などの汚れの軟化をより促進することができ、角栓などの汚れより容易に除去することができるようになる。
【０１６４】
また、加熱部８３は、アルカリ水吐出口８０ａから吐出されるアルカリ水Ｌ１の温度が３７℃〜５０℃となるように、アルカリ水Ｌ１を加熱している。
【０１６５】
こうすることで、肌Ｓに吐出されるアルカリ水Ｌ１の温度が肌温度以上となって、角栓などの汚れを容易に除去することができる。また、肌Ｓに吐出されるアルカリ水Ｌ１の温度が、肌Ｓに与える熱的影響を抑制することが可能な温度になっているため、汚れを除去する際に肌Ｓを傷めてしまうのを抑制することができる。
【０１６６】
また、美容装置１０Ａを用いて行う美容方法は、アルカリ水供給機構によって使用者Ｕの肌Ｓに加熱されたアルカリ水Ｌ１を供給しながら、汚れ除去機構によって使用者Ｕの肌Ｓに付着した汚れを除去するものである。すなわち、美容装置１０Ａがアルカリ液Ｌ１を加熱する加熱部８３を備えており、使用者Ｕの肌Ｓに、加熱部８３により加熱されたアルカリ液Ｌ１を供給するものである。
【０１６７】
このように、加熱されたアルカリ液Ｌ１が使用者Ｕの肌Ｓに供給されるようにすれば、より容易に使用者Ｕの肌Ｓに付着した汚れを除去することができるようになる。また、前処理の時間を設けなくても、使用者Ｕの肌Ｓに付着した汚れをより容易に除去することができるため、より短時間で使用者Ｕの肌Ｓに付着した汚れを除去することができる。
【０１６８】
（実施の形態２）
本実施の形態２にかかる美容装置１０Ｂは、図４に示すように、基本的に上記実施の形態１で示した美容装置１０と同様の構成をしている。
【０１６９】
すなわち、美容装置１０Ｂは、把持部２１ａが形成された本体部２０と、本体部２０の下部に着脱可能に取り付けられるタンクケース３０と、を備えている。
【０１７０】
ここで、本実施の形態２では、本体部２０の上部に、ノズル部４０Ｂが着脱可能に取り付けられている。
【０１７１】
このノズル部４０Ｂの先端４２（アルカリ液吐出口８０ａの周縁部）には、アルカリ液供給機構としてのアルカリ液保持部４６が形成されている。
【０１７２】
このアルカリ液保持部４６は、例えば、スポンジ状のウレタン部材で形成することができ、アルカリ液吐出口８０ａから吐出されるアルカリ液Ｌ１を保持するとともに、保持したアルカリ液Ｌ１を使用者Ｕの肌Ｓに供給（塗布）できるものである。
【０１７３】
また、美容装置１０Ｂは、上記美容装置１０と同様に、使用者Ｕの肌Ｓに供給されるアルカリ液Ｌ１を貯留するアルカリ液貯留部３３と、アルカリ液貯留部３３に貯留されたアルカリ液Ｌ１が吐出されるアルカリ液吐出口８０ａを有するアルカリ液通路８０と、を備えている。また、アルカリ液貯留部３３に貯留されるアルカリ液Ｌ１のｐＨは、９〜１２となるようにしている。
【０１７４】
さらに、美容装置１０Ｂは、使用者Ｕの肌Ｓにアルカリ液Ｌ１を供給するアルカリ液供給機構と、使用者Ｕの肌Ｓに付着した汚れを除去する汚れ除去機構と、を備えている。
【０１７５】
そして、ケーシング２１の空洞内（筒内）に内蔵されたポンプ部５０Ｂを作動させることで、アルカリ液貯留部３３内に貯留されたアルカリ液Ｌ１は、アルカリ液通路８０を通ってアルカリ液吐出口８０ａから吐出されるようにしている。
【０１７６】
本実施の形態２にかかるポンプ部５０Ｂは、上記実施の形態１で示したポンプ部５０と同様に、単筒のピストンポンプ５１Ｂと、当該ピストンポンプ５１Ｂを駆動する電動モータ５２Ｂとを含んでいる。なお、図４では、ピストンポンプ５１Ｂの具体的な構成を省略している。
【０１７７】
また、電動モータ５２Ｂは、電源としての蓄電池６０に電気的に接続されており、当該蓄電池６０の電力によって駆動するようになっている。
【０１７８】
そして、本実施の形態２においても、ポンプ部５０Ｂを、アルカリ液供給機構としてだけでなく汚れ除去機構としても機能させている。
【０１７９】
ここで、本実施の形態２では、タンクケース３０の内部を隔壁３６で仕切り、タンクケース３０内に、水道水等の液体（アルカリ液とは異なる液体）Ｌ２が貯留される液体貯留部３５を、アルカリ液Ｌ１が貯留されるアルカリ液貯留部３３とは別に形成している。
【０１８０】
そして、美容装置１０Ｂ内には、液体貯留部３５内に貯留された水（液体）Ｌ２が通過する液体通路８４が形成されており、この液体通路８４の下流端を、水（液体）Ｌ２を美容装置１０Ｂの外部に吐出させる液体吐出口８４ａとしている。すなわち、液体貯留部３５内に貯留された水（液体）Ｌ２が、液体通路８４を通って液体吐出口８４ａから吐出されるようにしている。
【０１８１】
ここで、本実施の形態２では、アルカリ液吐出口８０ａが液体吐出口８４ａを兼ねるようにしている。
【０１８２】
すなわち、液体通路８４の下流側とアルカリ液通路８０の下流側とを共通の通路で形成している。具体的には、アルカリ液通路８０の途中（図４では、タンクケース３０よりも上方）に、切替弁（電磁弁）８６を介して液体通路８４の上流側となる分岐パイプ８５を設けている。なお、切替弁（電磁弁）８６の切り替えは、回路基板７０の制御によって行われる。
【０１８３】
そして、切替弁（電磁弁）８６よりも下流側の通路を液体通路８４とアルカリ液通路８０の共通の通路としている。
【０１８４】
すなわち、液体貯留部３５内に貯留された水（液体）Ｌ２は、分岐パイプ８５および切替弁（電磁弁）８６よりも下流側の共通通路を通って液体吐出口８４ａ（アルカリ液吐出口８０ａ）から吐出されるようになっている。
【０１８５】
このとき、液体供給機構によって液体貯留部３５内に貯留された水（液体）Ｌ２が使用者Ｕの肌Ｓに供給されるようにしており、本実施の形態２では、ポンプ部５０Ｂを液体供給機構として機能させている。
【０１８６】
次に、かかる構成をした美肌装置１０Ｂの動作、作用の一例について説明する。
【０１８７】
まず、使用者Ｕが蓋３２を外してアルカリ液貯留部３３内にｐＨ調整用のタブレット剤３４を入れ、水道水等の液体を給液することで、アルカリ液Ｌ１を生成する。また、液体貯留部３５内に水（液体）Ｌ２を貯留する。
【０１８８】
そして、ノズル部４０の先端４２（フランジ部４４ｂ）に設けられたアルカリ液保持部４６を、例えば、小鼻の肌表面等に接触させた状態で、スイッチ２２を操作する。
【０１８９】
そして、ポンプ部５０Ｂが駆動することで、アルカリ液貯留部３３内に貯留されたアルカリ液Ｌ１が、アルカリ液吐出口８０ａから吐出され、アルカリ液保持部４６によって肌Ｓに塗布される。なお、本実施の形態２では、アルカリ液Ｌ１の吐出は５分程行われ、この間、分岐パイプ８５は、切替弁（電磁弁）８６によって閉じられている。
【０１９０】
その後、回路基板７０によって切替弁（電磁弁）８６が切り替えられ、液体貯留部３５内の水（液体）Ｌ２が、液体通路８４を通って液体吐出口８４ａから使用者Ｕの小鼻の表面等の肌Ｓに向け噴射される。
【０１９１】
このとき、肌Ｓにはアルカリ液Ｌ１が所定時間塗布されており、毛穴等に固着した汚れは塗布されたアルカリ液Ｌ１により軟化されている。したがって、水（液体）Ｌ２を噴射させた際における水（液体）Ｌ２の噴射の勢いで、軟化した汚れが除去されることとなる。
【０１９２】
このように、本実施の形態２にかかる美容方法は、美容装置１０を用い、アルカリ液供給機構によって使用者Ｕの肌Ｓにアルカリ液Ｌ１を供給しながら、汚れ除去機構によって使用者Ｕの肌Ｓに付着した汚れを除去するものである。
【０１９３】
なお、美容装置１０Ｂを用い、アルカリ液供給機構によって使用者Ｕの肌Ｓにアルカリ液Ｌ１を供給しながら、汚れ除去機構によって使用者Ｕの肌Ｓに付着した汚れを除去することも可能である。
【０１９４】
かかる構成をした美容装置１０Ｂによっても、上記実施の形態１と同様の作用、効果を奏することができる。
【０１９５】
また、本実施の形態２にかかる美容装置１０Ｂのアルカリ液供給機構は、アルカリ液吐出口８０ａの周縁部に形成されたアルカリ液保持部４６を備えている。
【０１９６】
これにより、美容装置１０Ｂの使用時に、アルカリ液保持部４６から肌Ｓへとアルカリ液Ｌ１を供給することができ、角栓などの汚れをより確実に軟化させることができるようになる。
【０１９７】
また、アルカリ液Ｌ１とは異なる水（液体）Ｌ２を貯留する液体貯留部３５と、液体貯留部３５に貯留された水（液体）Ｌ２が吐出される液体吐出口８４ａを有する液体通路８４と、使用者Ｕの肌Ｓに水（液体）Ｌ２を供給する液体供給機構と、を備えている。
【０１９８】
これにより、アルカリ液Ｌ１だけでなくアルカリ液Ｌ１とは異なる水（液体）Ｌ２を肌Ｓに供給することが可能となる。
【０１９９】
また、液体供給機構は、水（液体）Ｌ２を使用者Ｕの肌Ｓに噴射させることが可能なポンプ部５０Ｂを備えている。
【０２００】
これにより、毛穴の奥まで水（液体）Ｌ２を供給することができ、毛穴の奥の汚れをより容易に除去することが可能となる。
【０２０１】
また、本実施の形態２にかかる美容方法は、美容装置１０Ｂを用い、アルカリ液供給機構によって使用者Ｕの肌Ｓにアルカリ液Ｌ１を供給した後に、汚れ除去機構によって使用者Ｕの肌Ｓに付着した汚れを除去するものである。
【０２０２】
これにより、より容易に使用者Ｕの肌Ｓに付着した汚れを除去することができるようになる。また、アルカリ液Ｌ１で角栓などのたんぱく質を加水分解させて軟化させた後で除去するため、より確実に使用者Ｕの肌Ｓに付着した汚れを除去することができる。
【０２０３】
また、使用者Ｕの肌Ｓにアルカリ液Ｌ１を供給した後に、水（液体）Ｌ２を噴射させて肌Ｓに付着した汚れを除去することで、肌に供給されたアルカリ液Ｌ１を水（液体）Ｌ２によって洗い流すこともできる。すなわち、水（液体）Ｌ２によって肌Ｓの後処理を行うこともできる。
【０２０４】
なお、ノズル部４０Ｂの代わりに、上記実施の形態１で示したノズル部４０を用いるようにしてもよい。また、上記実施の形態１やその変形例に本実施の形態２で示したノズル部４０Ｂを適用させることも可能である。
【０２０５】
また、美容装置１０Ｂに加熱部８３を設けるようにすることも可能である。こうすれば、アルカリ水供給機構によって使用者Ｕの肌Ｓに加熱されたアルカリ水Ｌ１を供給した後に、汚れ除去機構によって使用者Ｕの肌Ｓに付着した汚れを除去することができる。
【０２０６】
（実施の形態３）
本実施の形態３にかかる美容装置１０Ｃは、図５に示すように、基本的に上記実施の形態１で示した美容装置１０と同様の構成をしている。
【０２０７】
すなわち、美容装置１０Ｃは、把持部２１ａが形成された本体部２０と、本体部２０の下部に着脱可能に取り付けられるタンクケース３０と、本体部２０の上部に着脱可能に取り付けられるノズル部４０と、を備えている。
【０２０８】
そして、アルカリ液吐出部８０ａの周囲（アルカリ液吐出口８０ａの近傍）には、樹脂で形成された円筒状の跳ね返り抑制部４３が設けられている。
【０２０９】
また、跳ね返り抑制部４３の周囲（アルカリ液吐出口８０ａの周囲）には、アルカリ液Ｌ１が一方向（肌Ｓに対して略垂直の方向）に吐出されるようにガイドするガイド部４４が設けられている。
【０２１０】
さらに、ガイド部４４の先端であるフランジ部４４ｂ（アルカリ液吐出口８０ａの周囲）に、ガイド部４４と肌Ｓとの接触状態を検知する検知部４５が設けられている。
【０２１１】
また、美容装置１０Ｃは、上記美容装置１０と同様に、使用者Ｕの肌Ｓに供給されるアルカリ液Ｌ１を貯留するアルカリ液貯留部３３と、アルカリ液貯留部３３に貯留されたアルカリ液Ｌ１が吐出されるアルカリ液吐出口８０ａを有するアルカリ液通路８０と、を備えている。また、アルカリ液貯留部３３に貯留されるアルカリ液Ｌ１のｐＨは、９〜１２となるようにしている。
【０２１２】
さらに、美容装置１０Ｃは、使用者Ｕの肌Ｓにアルカリ液Ｌ１を供給するアルカリ液供給機構と、使用者Ｕの肌Ｓに付着した汚れを除去する汚れ除去機構と、を備えている。
【０２１３】
そして、ケーシング２１の空洞内（筒内）に内蔵されたポンプ部５０Ｃを作動させることで、アルカリ液貯留部３３内に貯留されたアルカリ液Ｌ１は、アルカリ液通路８０を通ってアルカリ液吐出口８０ａから吐出されるようにしている。
【０２１４】
本実施の形態３にかかるポンプ部５０Ｃは、上記実施の形態１で示したポンプ部５０と同様に、単筒のピストンポンプ５１Ｃと、当該ピストンポンプ５１Ｃを駆動する電動モータ５２Ｃとを含んでいる。なお、図５では、ピストンポンプ５１Ｃの具体的な構成を省略している。
【０２１５】
また、電動モータ５２Ｃは、電源としての蓄電池６０に電気的に接続されており、当該蓄電池６０の電力によって駆動するようになっている。
【０２１６】
そして、本実施の形態３においても、ポンプ部５０Ｃを、アルカリ液供給機構としてだけでなく汚れ除去機構としても機能させている。
【０２１７】
ここで、本実施の形態３では、美容装置１０Ｃが、アルカリ液Ｌ１を生成するアルカリ液生成部をさらに備えている。
【０２１８】
具体的には、アルカリ液生成部は、陰極１０１および陽極１０２と、陰極１０１と陽極１０２との間に配置された隔膜１０３とを有する電気分解部１００を備えている。
【０２１９】
さらに、本実施の形態３では、隔膜１０３がタンクケース３０の内部を仕切っており、タンクケース３０内には、アルカリ液Ｌ１が貯留されるアルカリ液貯留部３３と、酸性液Ｌ３が貯留される酸性液貯留部３７と、が形成されている。
【０２２０】
次に、かかる構成をした美肌装置１０Ｃの動作、作用の一例について説明する。
【０２２１】
まず、使用者Ｕが蓋３２を外してアルカリ液貯留部３３内に水道水等の液体を給液する。
【０２２２】
そして、電気分解部１００の陰極１０１および陽極１０２に印加することで、隔膜１０３で仕切られたアルカリ液貯留部３３（陰極１０１が配置されている側の空間）内でアルカリ液Ｌ１を生成するとともに、酸性液貯留部３７（陽極１０２が配置されている側の空間）内で酸性液Ｌ３を生成する。本実施の形態３でも、ｐＨ１１．５程度（ｐＨ９〜１２の範囲）のアルカリ液Ｌ１がアルカリ液貯留部３３内に貯留されるようにしている。
【０２２３】
そして、ノズル部４０の先端４２（フランジ部４４ｂ）に設けられた検知部４５を、例えば、小鼻の肌表面等に接触させた状態で、スイッチ２２を操作する。
【０２２４】
このように、使用者Ｕの肌Ｓに美容装置１０Ｃ（フランジ部４４ｂ）を接触させた状態でスイッチ２２を操作すると、ポンプ部５０Ｃが駆動する。
【０２２５】
そして、ポンプ部５０Ｃが駆動することで、アルカリ液貯留部３３内に貯留されたアルカリ液Ｌ１が、アルカリ液吐出口８０ａから使用者Ｕの小鼻の表面等の肌Ｓに向け噴射される。
【０２２６】
このように、アルカリ液Ｌ１を肌Ｓに噴射させることで、アルカリ液Ｌ１が肌Ｓに供給され、このアルカリ液Ｌ１によって毛穴等に固着した汚れが軟化する。さらに、アルカリ液Ｌ１を肌Ｓに噴射させた際におけるアルカリ液Ｌ１の噴射の勢いで、毛穴等に固着した汚れが除去される。
【０２２７】
このように、本実施の形態３にかかる美容方法も、美容装置１０Ｃを用い、アルカリ液供給機構によって使用者Ｕの肌Ｓにアルカリ液Ｌ１を供給しながら、汚れ除去機構によって使用者Ｕの肌Ｓに付着した汚れを除去するものである。
【０２２８】
かかる構成をした美容装置１０Ｃによっても、上記実施の形態１と同様の作用、効果を奏することができる。
【０２２９】
また、本実施の形態３にかかる美容装置１０Ｃは、アルカリ液Ｌ１を生成するアルカリ液生成部をさらに備えている。
【０２３０】
これにより、水道水などを用いてより簡便にアルカリ液Ｌ１を生成することができるようになる。
【０２３１】
また、アルカリ液生成部は、陰極１０１および陽極１０２と、陰極１０１と陽極１０２との間に配置された隔膜１０３とを有する電気分解部１００を備えている。
【０２３２】
これにより、より簡素な構成でアルカリ液Ｌ１を生成することができるようになる。
【０２３３】
なお、ノズル部４０の代わりに、上記実施の形態２で示したノズル部４０Ｂを用いるようにしてもよい。
【０２３４】
また、美容装置１０Ｃに加熱部８３を設けるようにすることも可能である。こうすれば、アルカリ水供給機構によって使用者Ｕの肌Ｓに加熱されたアルカリ水Ｌ１を供給しながら、汚れ除去機構によって使用者Ｕの肌Ｓに付着した汚れを除去することができる。
【０２３５】
（実施の形態４）
本実施の形態４にかかる美容装置１０Ｄは、図６に示すように、基本的に上記実施の形態３で示した美容装置１０Ｃと同様の構成をしている。
【０２３６】
すなわち、美容装置１０Ｄは、把持部２１ａが形成された本体部２０と、本体部２０の下部に着脱可能に取り付けられるタンクケース３０と、本体部２０の上部に着脱可能に取り付けられるノズル部４０と、を備えている。
【０２３７】
そして、アルカリ液吐出部８０ａの周囲（アルカリ液吐出口８０ａの近傍）には、樹脂で形成された円筒状の跳ね返り抑制部４３が設けられている。
【０２３８】
また、跳ね返り抑制部４３の周囲（アルカリ液吐出口８０ａの周囲）には、アルカリ液Ｌ１が一方向（肌Ｓに対して略垂直の方向）に吐出されるようにガイドするガイド部４４が設けられている。
【０２３９】
さらに、ガイド部４４の先端であるフランジ部４４ｂ（アルカリ液吐出口８０ａの周囲）に、ガイド部４４と肌Ｓとの接触状態を検知する検知部４５が設けられている。
【０２４０】
また、美容装置１０Ｄは、上記美容装置１０Ｃと同様に、使用者Ｕの肌Ｓに供給されるアルカリ液Ｌ１を貯留するアルカリ液貯留部３３と、アルカリ液貯留部３３に貯留されたアルカリ液Ｌ１が吐出されるアルカリ液吐出口８０ａを有するアルカリ液通路８０と、を備えている。また、アルカリ液貯留部３３に貯留されるアルカリ液Ｌ１のｐＨは、９〜１２となるようにしている。
【０２４１】
さらに、美容装置１０Ｄは、使用者Ｕの肌Ｓにアルカリ液Ｌ１を供給するアルカリ液供給機構と、使用者Ｕの肌Ｓに付着した汚れを除去する汚れ除去機構と、を備えている。
【０２４２】
そして、ケーシング２１の空洞内（筒内）に内蔵されたポンプ部５０Ｄを作動させることで、アルカリ液貯留部３３内に貯留されたアルカリ液Ｌ１は、アルカリ液通路８０を通ってアルカリ液吐出口８０ａから吐出されるようにしている。
【０２４３】
本実施の形態３にかかるポンプ部５０Ｄは、上記実施の形態１で示したポンプ部５０と同様に、単筒のピストンポンプ５１Ｄと、当該ピストンポンプ５１Ｄを駆動する電動モータ５２Ｄとを含んでいる。なお、図６では、ピストンポンプ５１Ｄの具体的な構成を省略している。
【０２４４】
また、電動モータ５２Ｄは、電源としての蓄電池６０に電気的に接続されており、当該蓄電池６０の電力によって駆動するようになっている。
【０２４５】
そして、本実施の形態４においても、ポンプ部５０Ｄを、アルカリ液供給機構としてだけでなく汚れ除去機構としても機能させている。
【０２４６】
また、美容装置１０Ｄも、アルカリ液Ｌ１を生成するアルカリ液生成部としての電気分解部１００を備えている。
【０２４７】
そして、電気分解部１００は、陰極１０１および陽極１０２と、陰極１０１と陽極１０２との間に配置された隔膜１０３とを有している。
【０２４８】
また、隔膜１０３がタンクケース３０の内部を仕切っており、タンクケース３０内には、アルカリ液Ｌ１が貯留されるアルカリ液貯留部３３と、酸性液Ｌ３が貯留される酸性液貯留部３７と、が形成されている。
【０２４９】
ここで、本実施の形態４では、美容装置１０Ｄ内に、酸性液貯留部３７内に貯留された酸性液Ｌ３が通過する酸性液通路８７が形成されており、この酸性液通路８７の下流端を、酸性液Ｌ３を美容装置１０Ｄの外部に吐出させる酸性液吐出口８７ａとしている。すなわち、酸性液貯留部３７内に貯留された酸性液Ｌ３が、酸性液通路８７を通って酸性液吐出口８７ａから吐出されるようにしている。
【０２５０】
そして、本実施の形態４では、アルカリ液吐出口８０ａが酸性液吐出口８７ａを兼ねるようにしている。
【０２５１】
すなわち、酸性液通路８７の下流側とアルカリ液通路８０の下流側とを共通の通路で形成している。具体的には、アルカリ液通路８０の途中（図６では、タンクケース３０よりも上方）に、切替弁（電磁弁）８９を介して酸性液通路８７の上流側となる分岐パイプ８８を設けている。なお、切替弁（電磁弁）８９の切り替えは、回路基板７０の制御によって行われる。
【０２５２】
そして、切替弁（電磁弁）８９よりも下流側の通路を酸性液通路８７とアルカリ液通路８０の共通の通路としている。
【０２５３】
すなわち、酸性液貯留部３７内に貯留された酸性液Ｌ３は、分岐パイプ８８および切替弁（電磁弁）８９よりも下流側の共通通路を通って酸性液吐出口８７ａ（アルカリ液吐出口８０ａ）から吐出されるようになっている。
【０２５４】
このとき、酸性液供給機構によって酸性液貯留部３７内に貯留された酸性液Ｌ３が使用者Ｕの肌Ｓに供給されるようにしており、本実施の形態４では、ポンプ部５０Ｄを酸性液供給機構として機能させている。
【０２５５】
次に、かかる構成をした美肌装置１０Ｄの動作、作用の一例について説明する。
【０２５６】
まず、使用者Ｕが蓋３２を外してアルカリ液貯留部３３内に水道水等の液体を給液する。
【０２５７】
そして、電気分解部１００の陰極１０１および陽極１０２に印加することで、隔膜１０３で仕切られたアルカリ液貯留部３３（陰極１０１が配置されている側の空間）内でアルカリ液Ｌ１を生成するとともに、酸性液貯留部３７（陽極１０２が配置されている側の空間）内で酸性液Ｌ３を生成する。本実施の形態４でも、ｐＨ１１．５程度（ｐＨ９〜１２の範囲）のアルカリ液Ｌ１がアルカリ液貯留部３３内に貯留されるようにしている。
【０２５８】
そして、ノズル部４０の先端４２（フランジ部４４ｂ）に設けられた検知部４５を、例えば、小鼻の肌表面等に接触させた状態で、スイッチ２２を操作する。
【０２５９】
このように、使用者Ｕの肌Ｓに美容装置１０Ｄ（フランジ部４４ｂ）を接触させた状態でスイッチ２２を操作すると、ポンプ部５０Ｄが駆動する。
【０２６０】
そして、ポンプ部５０Ｄが駆動することで、アルカリ液貯留部３３内に貯留されたアルカリ液Ｌ１が、アルカリ液吐出口８０ａから使用者Ｕの小鼻の表面等の肌Ｓに向け噴射される。
【０２６１】
このように、アルカリ液Ｌ１を肌Ｓに噴射させることで、アルカリ液Ｌ１が肌Ｓに供給され、このアルカリ液Ｌ１によって毛穴等に固着した汚れが軟化する。さらに、アルカリ液Ｌ１を肌Ｓに噴射させた際におけるアルカリ液Ｌ１の噴射の勢いで、毛穴等に固着した汚れが除去される。なお、アルカリ液Ｌ１を肌Ｓに噴射させている間、分岐パイプ８８は、切替弁（電磁弁）８９によって閉じられている。
【０２６２】
そして、毛穴等に固着した汚れを除去した後、回路基板７０によって切替弁（電磁弁）８９が切り替えられ、酸性液貯留部３７内の酸性液Ｌ３が、酸性液通路８７を通って酸性液吐出口８７ａから使用者Ｕの小鼻の表面等の肌Ｓに向け噴射される。
【０２６３】
このように、本実施の形態４にかかる美容方法は、美容装置１０Ｄを用い、アルカリ液供給機構によって使用者Ｕの肌Ｓにアルカリ液Ｌ１を供給しながら、汚れ除去機構によって使用者Ｕの肌Ｓに付着した汚れを除去し、使用者Ｕの肌Ｓに付着した汚れを除去した後に、酸性液供給機構によって使用者Ｕの肌Ｓに酸性液Ｌ３を供給するものである。
【０２６４】
かかる構成をした美容装置１０Ｄによっても、上記実施の形態３と同様の作用、効果を奏することができる。
【０２６５】
また、本実施の形態４にかかる美容装置１０Ｄは、電気分解部１００で生成された酸性液Ｌ３を貯留する酸性液貯留部３７と、酸性液貯留部３７に貯留された酸性液Ｌ３が吐出される酸性液吐出口８７ａを有する酸性液通路８７と、使用者Ｕの肌Ｓに酸性液Ｌ３を供給する酸性液供給機構と、を備えている。
【０２６６】
これにより、アルカリ液Ｌ１だけでなく酸性液Ｌ３を肌Ｓに供給することが可能となる。
【０２６７】
また、酸性液供給機構は、酸性液Ｌ３を使用者Ｕの肌Ｓに噴射させることが可能なポンプ部５０Ｄを備えている。
【０２６８】
これにより、酸性液Ｌ３をより効率的に使用者Ｕの肌Ｓに供給することができる上、毛穴の奥まで酸性液Ｌ３を供給することができるようになる。
【０２６９】
また、本実施の形態４にかかる美容方法は、美容装置１０Ｄを用い、アルカリ液供給機構によって使用者Ｕの肌Ｓにアルカリ液Ｌ１を供給しながら、汚れ除去機構によって使用者Ｕの肌Ｓに付着した汚れを除去し、使用者Ｕの肌Ｓに付着した汚れを除去した後に、酸性液供給機構によって使用者Ｕの肌Ｓに酸性液Ｌ３を供給するものである。
【０２７０】
これにより、酸性液Ｌ３を後処理として使用者Ｕの肌Ｓに供給させることができる。また、酸性液Ｌ３を使用者Ｕの肌Ｓに供給することで、肌ＳのｐＨを正常領域に回復させて、肌Ｓの状態を整えることができるようになる。
【０２７１】
なお、ノズル部４０の代わりに、上記実施の形態２で示したノズル部４０Ｂを用いるようにしてもよい。
【０２７２】
この場合、美容装置１０Ｄを用い、アルカリ液供給機構によって使用者Ｕの肌Ｓにアルカリ液Ｌ１を供給した後に、汚れ除去機構によって使用者Ｕの肌Ｓに付着した汚れを除去し、使用者Ｕの肌Ｓに付着した汚れを除去した後に、酸性液供給機構によって使用者Ｕの肌Ｓに酸性液Ｌ３を供給する美容方法を行うこともできる。
【０２７３】
また、美容装置１０Ｄに加熱部８３を設けるようにすることも可能である。こうすれば、アルカリ水供給機構によって使用者Ｕの肌Ｓに加熱されたアルカリ水Ｌ１を供給しながら、汚れ除去機構によって使用者Ｕの肌Ｓに付着した汚れを除去し、使用者Ｕの肌Ｓに付着した汚れを除去した後に、酸性水供給機構によって使用者Ｕの肌Ｓに酸性水Ｌ３を供給することができる。
【０２７４】
（実施の形態５）
本実施の形態５にかかる美容装置１０Ｅは、図７および図８に示すように、把持部２１ａが形成された本体部２０と、本体部２０の上部後方に取り付けられるタンクケース３０と、を備えている。なお、タンクケース３０は、本体部２０に着脱可能に取り付けられるようにするのが好ましい。
【０２７５】
本体部２０は、絶縁性の合成樹脂で形成された細長い略筒状のケーシング２１を備えており、このケーシング２１の筒内に主要な構成要素が収容されている。
【０２７６】
そして、ケーシング２１の長手方向略中央部には、把持部２１ａが形成されており、把持部２１ａにおける美容装置１０Ｅの正面には、電源のＯＮ／ＯＦＦを切り換える電源スイッチ２２ａ（スイッチ）２２が設けられている。
【０２７７】
また、タンクケース３０を本体部２０の上部後方に取り付けた際には、タンクケース３０の内部にアルカリ液Ｌ１を貯留するアルカリ液貯留部３３が形成されるようになっている。
【０２７８】
また、タンクケース３０には蓋３２で閉塞された開口部３１が形成されており、この蓋３２を外してアルカリ液貯留部３３内に給液することができるようになっている。
【０２７９】
本実施の形態５でも、蓋３２を外してアルカリ液貯留部３３内にｐＨ調整用のタブレット剤を入れ、水道水等の液体を給液することで、アルカリ液Ｌ１を生成することができ、このときアルカリ液貯留部３３に貯留されるアルカリ液Ｌ１のｐＨは、９〜１２となるように調整されている。
【０２８０】
なお、本実施の形態５においても、予め用意したアルカリ液Ｌ１を、アルカリ液貯留部３３内に直接貯留させるようにすることも可能であるし、電気分解部を設けてアルカリ液Ｌ１を生成できるようにすることも可能である。
【０２８１】
また、美容装置１０Ｅは、アルカリ液貯留部３３に貯留されたアルカリ液Ｌ１が吐出（噴霧）されるアルカリ液吐出口８０ａを有するアルカリ液通路８０と、使用者Ｕの肌Ｓにアルカリ液Ｌ１を供給するアルカリ液供給機構と、使用者Ｕの肌Ｓに付着した汚れを除去する汚れ除去機構と、を備えている。
【０２８２】
本実施の形態５では、ポンプ部５０Ｅをアルカリ液供給機構として機能させている。すなわち、ケーシング２１の空洞内（筒内）に内蔵されたポンプ部５０Ｅを作動させることで、アルカリ液貯留部３３内に貯留されたアルカリ液Ｌ１を、アルカリ液通路８０を通ってアルカリ液吐出口８０ａから吐出（噴霧）させるようにしている。
【０２８３】
ここで、本実施の形態５では、ポンプ部５０Ｅは、ダイアフラム式のポンプ５１Ｅと、ダイアフラム式のポンプ５１Ｅを駆動する電動モータ５２Ｅとを含んでいる。
【０２８４】
また、電動モータ５２Ｅは、電源としての蓄電池６０に電気的に接続されており、当該蓄電池６０の電力によって駆動するようになっている。
【０２８５】
ダイアフラム式のポンプ５１Ｅは、外部に連通され、外気を吸引するための吸気弁５１ｄと、吸気弁５１ｄと一体的に形成され、吸気弁５１ｄの開閉動作とは逆に閉開動作を行う排気弁５１ｅと、ダイアフラム式のポンプ５１Ｅの内部空間の容積を変化させる弾性体（ダイアフラム）５１ｆと、を備えている。
【０２８６】
また、ダイアフラム式のポンプ５１Ｅの排気口５１ｇがアルカリ液通路８０に連通されており、吸気弁５１ｄから吸い込んだ空気をアルカリ液通路８０に送り込むようにしている。
【０２８７】
このように、本実施の形態５では、アルカリ液通路８０に空気を送り込むことで、アルカリ液通路８０内のアルカリ液Ｌ１を空気によって押圧し、アルカリ液吐出口８０ａから美容装置１０Ｅの外部に吐出（噴霧）させるようにしている。
【０２８８】
また、本体部２０の側面上部には、アルカリ液Ｌ１の噴霧のＯＮ／ＯＦＦを切り換える噴霧スイッチ２２ｃ（スイッチ２２）が設けられており、この噴霧スイッチ２２ｃ（スイッチ２２）を操作することで、アルカリ液Ｌ１がアルカリ液吐出口８０ａから吐出（噴霧）されるようにしている。
【０２８９】
ここで、本実施の形態５では、使用者Ｕの肌Ｓに付着した汚れを吸引する吸引機構１１０を設け、この吸引機構１１０を汚れ除去機構として機能させている。
【０２９０】
この吸引機構１１０は、本体部２０の上部正面であってアルカリ液吐出口８０ａが形成された部位の下方に着脱可能に取り付けられる吸引ノズル１１１と、吸引ポンプ１１２と、を備えている。
【０２９１】
本実施の形態５では、吸引ポンプ１１２もダイアフラム式のポンプで構成されており、吸引ノズル１１１の後端（奥側）を開閉する吸引弁１１２ａと、吸引弁１１２ａと一体的に形成され、吸引弁１１２ａの開閉動作とは逆に閉開動作を行う排気弁１１２ｂと、吸引ポンプ１１２の内部空間の容積を変化させる弾性体（ダイアフラム）１１２ｃと、を備えている。
【０２９２】
そして、この吸引ポンプ１１２は、電動モータ５２Ｅを駆動させることで作動するようにしており、吸引ノズル１１１の先端の吸引口１１１ａに肌Ｓを当接させた状態で、吸引ポンプ１１２を作動させた際に、以下の動作が行われるようにすることで、吸引機構１１０に吸引力を生じさせている。
【０２９３】
まず、弾性体（ダイアフラム）１１２ｃが吸引ポンプ１１２の内部空間の容積を増加させる方向に変形した際には、吸引弁１１２ａが開くとともに排気弁１１２ｂが閉じる。その結果、吸引ノズル１１１の内部空間と吸引ポンプ１１２の内部空間とが連通されて容積が増加するため、空間内部の圧力が低下する。
【０２９４】
次に、弾性体（ダイアフラム）１１２ｃが吸引ポンプ１１２の内部空間の容積を減少させる方向に変形した場合には、吸引弁１１２ａが閉じるとともに、吸引ノズル１１１の内部空間が閉ざされるため、空間内部の圧力が維持される（圧力の増減が生じない）。
【０２９５】
一方、排気弁１１２ｂが開くと、吸引ポンプ１１２の内部の空気が排気口から吐き出され、外気と同じ圧力になる。
【０２９６】
そして、弾性体（ダイアフラム）１１２ｃの上記変形が連続して繰り返されることで、吸引ノズル１１２の内部空間の圧力が徐々に低下する。その結果、吸引機構１１０に吸引力が生じることとなる。
【０２９７】
本実施の形態５では、上述したように、電動モータ５２Ｅを駆動させることで、吸引ポンプ１１２が作動するようにしている。すなわち、一つの電動モータ５２Ｅを駆動させることで、ダイアフラム式のポンプ５１Ｅと吸引ポンプ１１２とが同時に作動するようにしている。こうすることで、吸引ノズル１１２による肌Ｓに付着した汚れの吸引と、アルカリ液吐出口８０ａからのアルカリ液Ｌ１の吐出（噴霧）を同時に行えるようにしている。
【０２９８】
なお、ダイアフラム式のポンプ５１Ｅと吸引ポンプ１１２とは、同時に作動させる必要はなく、独立して作動させることができるようにしてもよい。
【０２９９】
次に、かかる構成をした美肌装置１０Ｅの動作、作用の一例について説明する。
【０３００】
まず、使用者Ｕが蓋３２を外してアルカリ液貯留部３３内にｐＨ調整用のタブレット剤を入れ、水道水等の液体を給液することで、アルカリ液Ｌ１を生成する。本実施の形態５では、ｐＨ１１．５程度（ｐＨ９〜１２の範囲）のアルカリ液Ｌ１がアルカリ液貯留部３３内に貯留されるようにしている。
【０３０１】
そして、吸引ノズル１１１の先端（吸引口１１１ａ）を、例えば、小鼻の肌表面等に接触させた状態で、スイッチ２２を操作することで電動モータ５２Ｅを駆動させる。
【０３０２】
このように、電動モータ５２Ｅを駆動させると、ダイアフラム式のポンプ５１Ｅが作動し、吸気弁５１ｄから吸い込まれた空気がアルカリ液通路８０に送り込まれ、アルカリ液通路８０内のアルカリ液Ｌ１が、アルカリ液吐出口８０ａから使用者Ｕの肌Ｓに吐出（噴霧）される。
【０３０３】
また、ダイアフラム式のポンプ５１Ｅの作動と同時に、吸引ポンプ１１２も作動し、アルカリ液Ｌ１によって軟化された肌Ｓの汚れが、吸引機構１１０（吸引ポンプ１１２）によって吸引されて除去される。
【０３０４】
このように、本実施の形態５にかかる美容方法は、美容装置１０Ｅを用い、アルカリ液供給機構によって使用者Ｕの肌Ｓにアルカリ液Ｌ１を供給しながら、汚れ除去機構によって使用者Ｕの肌Ｓに付着した汚れを除去するものである。
【０３０５】
かかる構成をした美容装置１０Ｅによっても、上記実施の形態１と同様の作用、効果を奏することができる。
【０３０６】
また、本実施の形態５では、汚れ除去機構が、使用者Ｕの肌Ｓに付着した汚れを吸引する吸引機構１１０を備えている。
【０３０７】
このように、吸引機構１１０を設け、軟化した角栓や毛穴の汚れを当該吸引機構１１０によって吸引することで、使用者Ｕの肌Ｓに付着した汚れをより容易に除去することができるようになる。
【０３０８】
なお、吸引ノズル１１１の外周部にアルカリ液保持部を設けるようにしてもよい。こうすれば、アルカリ液Ｌ１による角栓などの汚れの軟化と吸引機構１１０での吸引による汚れの除去とを同時に達成することができる。
【０３０９】
また、美容装置１０Ｅに加熱部８３を設けるようにすることも可能である。こうすれば、アルカリ水供給機構によって使用者Ｕの肌Ｓに加熱されたアルカリ水Ｌ１を供給しながら、汚れ除去機構によって使用者Ｕの肌Ｓに付着した汚れを除去することができる。
【０３１０】
（実施の形態６）
本実施の形態６にかかる美容装置１０Ｆは、図９および図１０に示すように、把持部２１ａが形成された本体部２０を備えている。
【０３１１】
本体部２０は、絶縁性の合成樹脂で形成された細長い略筒状のケーシング２１を備えており、このケーシング２１の筒内に主要な構成要素が収容されている。
【０３１２】
なお、ケーシング２１には電源のＯＮ／ＯＦＦを切り換える電源スイッチ（図示せず）が設けられている。
【０３１３】
また、ケーシング２１の筒内には、アルカリ液Ｌ１を貯留するアルカリ液貯留部３３が形成されている。
【０３１４】
本実施の形態６でも、アルカリ液貯留部３３内にｐＨ調整用のタブレット剤を入れ、水道水等の液体を給液することで、アルカリ液Ｌ１を生成することができ、このときアルカリ液貯留部３３に貯留されるアルカリ液Ｌ１のｐＨは、９〜１２となるように調整されている。
【０３１５】
なお、本実施の形態６においても、予め用意したアルカリ液Ｌ１を、アルカリ液貯留部３３内に直接貯留させるようにすることも可能であるし、電気分解部を設けてアルカリ液Ｌ１を生成できるようにすることも可能である。
【０３１６】
また、美容装置１０Ｆは、アルカリ液貯留部３３に貯留されたアルカリ液Ｌ１が吐出されるアルカリ液吐出口８０ａを有するアルカリ液通路８０と、使用者Ｕの肌Ｓにアルカリ液Ｌ１を供給するアルカリ液供給機構と、使用者Ｕの肌Ｓに付着した汚れを除去する汚れ除去機構と、を備えている。
【０３１７】
本実施の形態６では、ポンプ部５０Ｆをアルカリ液供給機構として機能させている。すなわち、ケーシング２１の空洞内（筒内）に内蔵されたポンプ部５０Ｆを作動させることで、アルカリ液貯留部３３内に貯留されたアルカリ液Ｌ１を、アルカリ液通路８０を通ってアルカリ液吐出口８０ａから吐出させるようにしている。なお、ポンプ部５０Ｆとしては、ピストンポンプやダイアフラム式のポンプ等様々な種類のポンプを用いることができる。
【０３１８】
ここで、本実施の形態６では、繊維状のブラシ１２１ａ，１２２ａを有するブラシ部１２０を設け、このブラシ部１２０を汚れ除去機構として機能させている。
【０３１９】
具体的には、ブラシ部１２０は、繊維状のブラシ１２１ａを有し、ケーシング２１に対して回転可能に支持される回転ブラシ部１２１と、繊維状のブラシ１２１ａの外周の全周にわたって配置される繊維状のブラシ１２２ａを有する固定ブラシ部１２２と、を備えている。
【０３２０】
回転ブラシ部１２１は、ギヤ等を含む回転伝達機構５５Ｆを介して電動モータ（モータ）５２Ｆに連結されており、電動モータ（モータ）５２Ｆを駆動させることで軸Ｃを中心として回転するようになっている。
【０３２１】
また、電動モータ（モータ）５２Ｆは、電源としての蓄電池６０に電気的に接続されており、当該蓄電池６０の電力によって駆動するようになっている。
【０３２２】
そして、本実施の形態６では、ケーシング２１と回転ブラシ部１２１との間に形成される空間に、アルカリ液Ｌ１を貯留するアルカリ液貯留部３３を形成している。しかしながら、このアルカリ液貯留部３３は、ケーシング２１の筒内のいずれかに形成されていればよい。
【０３２３】
次に、かかる構成をした美肌装置１０Ｆの動作、作用の一例について説明する。
【０３２４】
まず、使用者Ｕがアルカリ液貯留部３３内にｐＨ調整用のタブレット剤を入れ、水道水等の液体を給液することで、アルカリ液Ｌ１を生成する。本実施の形態６では、ｐＨ１１．５程度（ｐＨ９〜１２の範囲）のアルカリ液Ｌ１がアルカリ液貯留部３３内に貯留されるようにしている。
【０３２５】
そして、繊維状のブラシ１２１ａ，１２２ａの先端を、例えば、小鼻の肌表面等に接触させた状態で、図示せぬスイッチを操作することで電動モータ（モータ）５２Ｆやポンプ部５０Ｆを駆動させる。
【０３２６】
そして、ポンプ部５０Ｆを駆動させることで、アルカリ液通路８０内のアルカリ液Ｌ１が、アルカリ液吐出口８０ａから使用者Ｕの肌Ｓに吐出（供給）される。
【０３２７】
また、電動モータ（モータ）５２Ｆを駆動させることで、回転ブラシ部１２１が回転し、アルカリ液Ｌ１によって軟化された肌Ｓの汚れが、ブラシ部１２０、すなわち、回転ブラシ部１２１や固定ブラシ部１２２によって掻き取られて除去される。
【０３２８】
なお、本実施の形態６では、アルカリ液吐出口８０ａから吐出されたアルカリ液Ｌ１は、繊維状のブラシ１２１ａ，１２２ａに保持されながら使用者Ｕの肌Ｓに供給される。したがって、繊維状のブラシ１２１ａ，１２２ａは、肌Ｓの汚れを掻き取る汚れ除去機構としての機能だけでなく、アルカリ液保持部としての機能も有している。
【０３２９】
このように、本実施の形態６にかかる美容方法は、美容装置１０Ｆを用い、アルカリ液供給機構によって使用者Ｕの肌Ｓにアルカリ液Ｌ１を供給しながら、汚れ除去機構によって使用者Ｕの肌Ｓに付着した汚れを除去するものである。
【０３３０】
かかる構成をした美容装置１０Ｆによっても、上記実施の形態１と同様の作用、効果を奏することができる。
【０３３１】
また、本実施の形態６では、汚れ除去機構が、繊維状のブラシ１２１ａ，１２２ａを有するブラシ部１２０を備えている。
【０３３２】
このように、繊維状のブラシ１２１ａ，１２２ａを有するブラシ部１２０を設けることで、軟化した角栓などをブラシ１２１ａ，１２２ａで掻き取って除去することができ、使用者Ｕの肌Ｓに付着した汚れをより容易に除去することができるようになる。
【０３３３】
また、汚れ除去機構は、ブラシ１２２ａを回転駆動させるモータ５２Ｆを備えている。
【０３３４】
これにより、使用者Ｕの肌Ｓに付着した汚れをより容易かつより確実に除去することができるようになる。
【０３３５】
また、美容装置１０Ｆに加熱部８３を設けるようにすることも可能である。こうすれば、アルカリ水供給機構によって使用者Ｕの肌Ｓに加熱されたアルカリ水Ｌ１を供給しながら、汚れ除去機構によって使用者Ｕの肌Ｓに付着した汚れを除去することができる。
【０３３６】
以上、本発明の好適な実施形態について説明したが、本発明は上記実施の形態には限定されず、種々の変形が可能である。
【０３３７】
例えば、美容装置の構成は、上記各実施の形態で説明した構成に限られるものではなく、各実施の形態で説明した構成を適宜組み合わせた美容装置とすることも可能である。
【０３３８】
また、上記実施の形態１で示したノズル部４０と、上記実施の形態２で示したノズル部４０Ｂとを含む複数種類のノズル部と、ノズル部以外の本体部分（本体部およびタンクケース）とで美容セットを構成し、用途に応じて、ノズル部の種類を変更できるようにしてもよい。さらに、ノズル部以外の本体部分（本体部およびタンクケース）を複数種類備えるようにしてもよい。
【０３３９】
また、上記実施の形態１〜４ではピストンポンプを例示し、上記実施の形態５ではダイアフラム式のポンプを例示したが、これに限られるものではなく、様々な種類のポンプを用いることができる。
【０３４０】
また、本体部やタンクケース、その他細部のスペック（形状、大きさ、レイアウト等）も適宜に変更可能である。
【産業上の利用可能性】
【０３４１】
以上のように、本発明にかかる美容装置は、肌の毛穴を閉塞する汚れ、皮脂、角栓等の除去が可能となるので、例えば、小鼻の黒ずみ改善や、頭皮の毛穴洗浄等の用途にも適用できる。
【符号の説明】
【０３４２】
１０  美容装置
１０Ａ  美容装置
１０Ｂ  美容装置
１０Ｃ  美容装置
１０Ｄ  美容装置
１０Ｅ  美容装置
１０Ｆ  美容装置
３３  アルカリ液貯留部
３５  液体貯留部
３７  酸性液貯留部
４３  跳ね返り抑制部
４４  ガイド部
４５  検知部
４６  アルカリ液塗布機構（アルカリ液供給機構）
５０  ポンプ部（アルカリ液供給機構：汚れ除去機構）
５０Ｂ  ポンプ部（アルカリ液供給機構：液体供給機構：汚れ除去機構）
５０Ｃ  ポンプ部（アルカリ液供給機構：汚れ除去機構）
５０Ｄ  ポンプ部（アルカリ液供給機構：酸性液供給機構：汚れ除去機構）
５０Ｅ  ポンプ部（アルカリ液供給機構）
５０Ｆ  ポンプ部（アルカリ液供給機構）
５２Ｆ  電動モータ（モータ）
８０  アルカリ液通路
８０ａ  アルカリ液吐出口
８３  加熱部
８４  液体通路
８４ａ  液体吐出口
８７  酸性液通路
８７ａ  酸性液吐出口
１００  電気分解部（アルカリ液生成部）
１０１  陰極
１０２  陽極
１０３  隔膜
１１０  吸引機構（汚れ除去機構）
１２０  ブラシ部（汚れ除去機構）
Ｌ１  アルカリ液
Ｌ２  水（液体）
Ｌ３  酸性液
Ｕ  使用者
Ｓ  肌
【図１】
2017099868.tif 000003
【図２】
2017099868.tif 000004
【図３】
2017099868.tif 000005
【図４】
2017099868.tif 000006
【図５】
2017099868.tif 000007
【図６】
2017099868.tif 000008
【図７】
2017099868.tif 000009
【図８】
2017099868.tif 000010
【図９】
2017099868.tif 000011
【図１０】
2017099868.tif 000012